(57)【特許請求の範囲】
【請求項１】
特許請求項のテキストが区切られた記述断片と当該記述断片の構造とを示す請求項構造情報を生成する請求項構造情報生成装置であって、
特許請求項のテキストである特許請求項情報が記憶される記憶部と、
前記特許請求項情報を形態素解析する形態素解析部と、
前記特許請求項情報の文節の区切位置を特定する文節特定部と、
記述断片の区切となると共に記述断片間の関係を示す表層の手がかり情報と、当該表層の手がかり情報に対応するトークンとを有する表層区切情報が２以上記憶される表層区切情報記憶部と、
前記特許請求項情報において、表層の手かがり情報に該当する位置に、当該表層の手がかり情報に対応するトークンを付与するトークン付与部と、
記述断片の区切となる文節の品詞の手がかり情報と、当該品詞の手がかり情報に対応する区切文節タイプとを有する文節タイプ対応情報が２以上記憶される文節タイプ対応情報記憶部と、
前記特許請求項情報において、品詞の手がかり情報に該当する文節に、当該品詞の手がかり情報に対応する区切文節タイプを付与する区切文節タイプ付与部と、
前記特許請求項情報に付与されたトークンと区切文節タイプとを用い、あらかじめ規定されている特許請求項の構造を示す規則に応じて、前記特許請求項情報の記述断片の構造を示す請求項構造情報を生成する生成部と、
前記生成部が生成した請求項構造情報を出力する出力部と、を備え、
前記生成部は、
文脈自由文法で記述されたトークン及び区切文節タイプに関する規則と、当該規則に対応する構造を前記特許請求項情報に付与するアクションとを有する文法ファイルを用いて生成された構文解析器を用いて、前記特許請求項情報に対応する請求項構造情報を生成する、請求項構造情報生成装置。
【請求項２】
記述断片の区切の並びに応じて、記述断片の区切でない位置に存在する区切文節タイプを削除する区切文節タイプ変更部をさらに備え、
前記生成部は、前記区切文節タイプ変更部が区切文節タイプを削除した後に請求項構造情報を生成し、
前記区切文節タイプ変更部は、
並列する記述断片の終端の区切文節タイプである終端区切文節タイプと、当該終端区切文節タイプより以前の、並列する記述断片が継続しうる区切文節タイプである継続区切文節タイプとの間に終端区切文節タイプが存在する場合に、両区切文節タイプの間に存在する当該終端区切文節タイプを削除する、請求項１記載の請求項構造情報生成装置。
【請求項３】
記述断片の区切の並びに応じて、記述断片の区切でない位置に存在する区切文節タイプを削除する区切文節タイプ変更部をさらに備え、
前記生成部は、前記区切文節タイプ変更部が区切文節タイプを削除した後に請求項構造情報を生成し、
前記区切文節タイプ変更部は、
改行が存在する場合であって、改行が後続しない動詞に関する区切文節タイプが存在する場合に、当該区切文節タイプを削除する、請求項１記載の請求項構造情報生成装置。
【請求項４】
特許請求項の構造の文脈自由文法による記述が特許請求項の終端から先頭への方向で記述されており、
前記生成部は、
トークン及び区切文節タイプの付与された前記特許請求項情報を終端から先頭への方向で取り込むことによって請求項構造情報を生成する、請求項１から請求項３のいずれか記載の請求項構造情報生成装置。
【請求項５】
前記生成部は、
前記特許請求項情報に、前記文法ファイルに含まれる規則に対応した構造を示すマークを付与することによって、マークアップ言語を用いて記述された請求項構造情報を生成する、請求項１から請求項４のいずれか記載の請求項構造情報生成装置。
【請求項６】
前記出力部は、
前記生成部が生成した請求項構造情報を、記述断片間の関係が分かるように表示する、請求項１から請求項５のいずれか記載の請求項構造情報生成装置。
【請求項７】
トークンには、構成要素の包含関係に応じたトークンが存在し、
区切文節タイプには、
構成要素の包含関係を示すトークンに対して、親の構成要素に応じた区切文節タイプである親区切文節タイプと、
構成要素の包含関係を示すトークンに対して、子の構成要素に応じた区切文節タイプである子区切文節タイプと、が存在し、
前記出力部は、親区切文節タイプに対応する記述断片と、子区切文節タイプに対応する記述断片との親子関係が分かるように両記述断片を表示する、請求項６記載の請求項構造情報生成装置。
【請求項８】
親区切文節タイプと子区切文節タイプとの付与された前記特許請求項情報を用いて、構成要素の親子関係を取得する親子関係取得部と、
前記親子関係取得部が取得した構成要素の親子関係を用いて、構成要素の階層レベルを取得する階層レベル取得部と、を備え、
前記出力部は、前記階層レベル取得部が取得した階層レベルに応じて、親区切文節タイプ及び子区切文節タイプに対応する記述断片を表示する、請求項７記載の請求項構造情報生成装置。
【請求項９】
特許請求項のテキストである特許請求項情報が記憶される記憶部と、形態素解析部と、文節特定部と、特許請求項のテキストにおける記述断片の区切となると共に記述断片間の関係を示す表層の手がかり情報と、当該表層の手がかり情報に対応するトークンとを有する表層区切情報が２以上記憶される表層区切情報記憶部と、トークン付与部と、記述断片の区切となる文節の品詞の手がかり情報と、当該品詞の手がかり情報に対応する区切文節タイプとを有する文節タイプ対応情報が２以上記憶される文節タイプ対応情報記憶部と、区切文節タイプ付与部と、生成部と、出力部とを用いて処理される、特許請求項のテキストが区切られた記述断片と当該記述断片の構造とを示す請求項構造情報を生成する請求項構造情報生成方法であって、
前記形態素解析部が、前記特許請求項情報を形態素解析する形態素解析ステップと、
前記文節特定部が、前記特許請求項情報の文節の区切位置を特定する文節特定ステップと、
前記トークン付与部が、前記特許請求項情報において、表層の手かがり情報に該当する位置に、当該表層の手がかり情報に対応するトークンを付与するトークン付与ステップと、
前記区切文節タイプ付与部が、前記特許請求項情報において、品詞の手がかり情報に該当する文節に、当該品詞の手がかり情報に対応する区切文節タイプを付与する区切文節タイプ付与ステップと、
前記生成部が、前記特許請求項情報に付与されたトークンと区切文節タイプとを用い、あらかじめ規定されている特許請求項の構造を示す規則に応じて、前記特許請求項情報の記述断片の構造を示す請求項構造情報を生成する生成ステップと、
前記出力部が、前記生成ステップで生成した請求項構造情報を出力する出力ステップと、を備え、
前記生成ステップでは、
文脈自由文法で記述されたトークン及び区切文節タイプに関する規則と、当該規則に対応する構造を前記特許請求項情報に付与するアクションとを有する文法ファイルを用いて生成された構文解析器を用いて、前記特許請求項情報に対応する請求項構造情報を生成する、請求項構造情報生成方法。
【請求項１０】
コンピュータを、
特許請求項のテキストが区切られた記述断片と当該記述断片の構造とを示す請求項構造情報を生成する請求項構造情報生成装置として機能させるためのプログラムであって、
特許請求項のテキストである特許請求項情報が記憶される記憶部で記憶されている特許請求項情報を形態素解析する形態素解析部、
前記特許請求項情報の文節の区切位置を特定する文節特定部、
前記特許請求項情報において、記述断片の区切となると共に記述断片間の関係を示す表層の手がかり情報と、当該表層の手がかり情報に対応するトークンとを有する表層区切情報が２以上記憶される表層区切情報記憶部で記憶されている表層の手かがり情報に該当する位置に、当該表層の手がかり情報に対応するトークンを付与するトークン付与部、
前記特許請求項情報において、記述断片の区切となる文節の品詞の手がかり情報と、当該品詞の手がかり情報に対応する区切文節タイプとを有する文節タイプ対応情報が２以上記憶される文節タイプ対応情報記憶部で記憶されている品詞の手がかり情報に該当する文節に、当該品詞の手がかり情報に対応する区切文節タイプを付与する区切文節タイプ付与部、
前記特許請求項情報に付与されたトークンと区切文節タイプとを用い、あらかじめ規定されている特許請求項の構造を示す規則に応じて、前記特許請求項情報の記述断片の構造を示す請求項構造情報を生成する生成部、
前記生成部が生成した請求項構造情報を出力する出力部として機能させ、
前記生成部は、
文脈自由文法で記述されたトークン及び区切文節タイプに関する規則と、当該規則に対応する構造を前記特許請求項情報に付与するアクションとを有する文法ファイルを用いて生成された構文解析器を用いて、前記特許請求項情報に対応する請求項構造情報を生成する、プログラム。
【発明の詳細な説明】
【技術分野】
【０００１】
本発明は、特許請求項の構造に関する情報である請求項構造情報を生成する請求項構造情報生成装置等に関する。
【背景技術】
【０００２】
特許出願の対象書類である「特許請求の範囲」に記述される特許請求項は、通常、長文かつ独特の記述スタイルで記述されるため、専門家以外の人にとっては極めて読みにくいものになっている。これに対して、実際の特許請求項の記述で多用される、いくつかの定型的表現を手がかりとして構造解析を行う手法が提案されている（例えば、特許文献１、特許文献２、非特許文献１参照）。また、特許請求項に記述されている内容を簡易に把握して記憶しやすくするための縮約表現手法も提案されている（例えば、特許文献３参照）。
【先行技術文献】
【特許文献】
【０００３】
【特許文献１】特許第３９０８２６１号公報
【特許文献２】特許第４２８９８７１号公報
【特許文献３】特開２００４−２４０６０４号公報
【非特許文献】
【０００４】
【非特許文献１】新森昭宏，奥村学，丸川雄三，岩山真，「手がかり句を用いた特許請求項の構造解析」，情報処理学会論文誌，Ｖｏｌ．４５，Ｎｏ．３，ｐ．８９１−９０５，２００４年
【発明の概要】
【発明が解決しようとする課題】
【０００５】
しかしながら、前述の特許文献１，２、非特許文献１は、特許請求項のトップレベルの構造を解析するものであり、より深い構造を持つ特許請求項については、構造解析がなされなかった。例えば、次のような特許請求項について、それらの提案手法を用いた場合には、図１６で示されるように構造解析が行われ、「外部に接続されるダクトと、エアを排出する送風手段と、エアを清浄化する清浄化手段と、を備え、」の部分については、何ら解析が行われていなかった。
【０００６】
［請求項］
画像形成装置において、
外部に接続されるダクトと、
エアを排出する送風手段と、
エアを清浄化する清浄化手段と、を備え、
前記ダクトは内部ダクトを有し、
前記清浄化手段は、前記内部ダクト内に設置されている、
ことを特徴とする画像形成装置。
【０００７】
また、前述の特許文献３は、「発明を構成する要素」を抽出し、その説明部分を削除するものであり、特許請求項の構造を解析するものではない。
【０００８】
本発明は、上記のような状況に応じてなされたものであり、より深い構造を持つ特許請求項についても、構造解析を行うことができる請求項構造情報生成装置等を提供することを目的とする。
【課題を解決するための手段】
【０００９】
上記目的を達成するため、本発明による請求項構造情報生成装置は、特許請求項のテキストが区切られた記述断片と当該記述断片の構造とを示す請求項構造情報を生成する請求項構造情報生成装置であって、特許請求項のテキストである特許請求項情報が記憶される記憶部と、特許請求項情報を形態素解析する形態素解析部と、特許請求項情報の文節の区切位置を特定する文節特定部と、記述断片の区切となると共に記述断片間の関係を示す表層の手がかり情報と、表層の手がかり情報に対応するトークンとを有する表層区切情報が２以上記憶される表層区切情報記憶部と、特許請求項情報において、表層の手かがり情報に該当する位置に、表層の手がかり情報に対応するトークンを付与するトークン付与部と、記述断片の区切となる文節の品詞の手がかり情報と、品詞の手がかり情報に対応する区切文節タイプとを有する文節タイプ対応情報が２以上記憶される文節タイプ対応情報記憶部と、特許請求項情報において、品詞の手がかり情報に該当する文節に、品詞の手がかり情報に対応する区切文節タイプを付与する区切文節タイプ付与部と、特許請求項情報に付与されたトークンと区切文節タイプとを用い、あらかじめ規定されている特許請求項の構造を示す規則に応じて、特許請求項情報の記述断片の構造を示す請求項構造情報を生成する生成部と、生成部が生成した請求項構造情報を出力する出力部と、を備えたものである。
【００１０】
このような構成により、表層及び品詞の手がかり情報と特許請求項の構造を示す規則とを用いることによって、特許請求項に含まれる記述断片の構造を検出することができる。また、文節単位で解析を行うことにより、従来例のように形態素ごとに解析を行っていた場合よりもより詳細なレベルで解析を行うことができるようになる。その結果、深い階層の構造をも解析することができるようになる。
【００１１】
また、本発明による請求項構造情報生成装置では、記述断片の区切の並びに応じて、記述断片の区切でない位置に存在する区切文節タイプを削除する区切文節タイプ変更部をさらに備え、生成部は、区切文節タイプ変更部が区切文節タイプを削除した後に請求項構造情報を生成してもよい。
【００１２】
このような構成により、記述断片の区切の並びに応じて、区切文節タイプを変更することができ、より適切な構造解析を行うことができるようになる。例えば、表層や品詞の手がかり情報を用いた区切位置の検出のみでは、形式的な区切位置をも検出してしまうことになりうるが、この区切文節タイプ変更部による区切文節タイプの削除を行うことによって、不適切な区切位置を削除することができ、より高精度な解析を実現することができる。
【００１３】
また、本発明による請求項構造情報生成装置では、区切文節タイプ変更部は、並列する記述断片の終端の区切文節タイプである終端区切文節タイプと、終端区切文節タイプより以前の、並列する記述断片が継続しうる区切文節タイプである継続区切文節タイプとの間に終端区切文節タイプが存在する場合に、両区切文節タイプの間に存在する終端区切文節タイプを削除してもよい。
【００１４】
このような構成により、一つの記述断片に含まれる小休止的な終端区切文節タイプを削除することができ、区切位置を適切にすることができる。例えば、特許請求項に「……し、……し、……し、……することを特徴とする」という記述や、「……と、……と、……と、……を備え、」という記述が存在した場合に、その「……」の部分に「する」が含まれたとしても、それは「……し、」や「……と、」等の中の小休止的な区切であって、記述断片の区切ではないと考えられるため、その「する」に対応する終端区切文節タイプを削除することになる。
【００１５】
また、本発明による請求項構造情報生成装置では、区切文節タイプ変更部は、改行が存在する場合であって、改行が後続しない動詞に関する区切文節タイプが存在する場合に、区切文節タイプを削除してもよい。
このような構成により、強力な区切である改行が後続しない動詞に関する区切文節タイプを削除することができ、区切位置を適切にすることができる。
【００１６】
また、本発明による請求項構造情報生成装置では、生成部は、文脈自由文法で記述されたトークン及び区切文節タイプに関する規則と、規則に対応する構造を特許請求項情報に付与するアクションとを有する文法ファイルを用いて生成された構文解析器を用いて、特許請求項情報に対応する請求項構造情報を生成してもよい。
【００１７】
このような構成により、文法ファイルを用いて生成された構文解析器を用いることによって、トークンや区切文節タイプの付与された特許請求項情報から、特許請求項の構造を解析した請求項構造情報を生成することができる。
【００１８】
また、本発明による請求項構造情報生成装置では、特許請求項の構造の文脈自由文法による記述が特許請求項の終端から先頭への方向で記述されており、生成部は、トークン及び区切文節タイプの付与された特許請求項情報を終端から先頭への方向で取り込むことによって請求項構造情報を生成してもよい。
【００１９】
特許請求項では、終端に定型的な表現が存在し、その終端から先頭の方向で構造が確定するため、このような構成により、文法のあいまいさに起因する問題の発生を回避することができうる。例えば、ｓｈｉｆｔ／ｒｅｄｕｃｅ  ｃｏｎｆｌｉｃｔや、ｒｅｄｕｃｅ／ｒｅｄｕｃｅ  ｃｏｎｆｌｉｃｔといった曖昧性を回避することができる。
【００２０】
また、本発明による請求項構造情報生成装置では、生成部は、特許請求項情報に、文法ファイルに含まれる規則に対応した構造を示すマークを付与することによって、マークアップ言語を用いて記述された請求項構造情報を生成してもよい。
このような構成により、請求項構造情報を、例えば、ＸＭＬなどのマークアップ言語を用いて記述することができる。
【００２１】
また、本発明による請求項構造情報生成装置では、生成部は、あらかじめ規定されているトークンの付与された記述断片及び区切文節タイプの付与された記述断片の係り受け関係に応じて、トークン付与部が付与したトークン及び区切文節タイプ付与部が付与した区切文節タイプで区切の示される記述断片間の係り受け関係を特定し、記述断片間の係り受け関係を示す請求項構造情報を生成してもよい。
このような構成により、トークンや区切文節タイプによって区切位置が示される記述断片の間の係り受け関係を示す請求項構造情報を得ることができる。
【００２２】
また、本発明による請求項構造情報生成装置では、出力部は、生成部が生成した請求項構造情報を、記述断片間の関係が分かるように表示してもよい。
このような構成により、その表示された請求項構造情報を見ることによって、特許の専門家でなくても、特許請求項の構造を容易に把握することができるようになる。
【００２３】
また、本発明による請求項構造情報生成装置では、トークンには、構成要素の包含関係に応じたトークンが存在し、区切文節タイプには、構成要素の包含関係を示すトークンに対して、親の構成要素に応じた区切文節タイプである親区切文節タイプと、構成要素の包含関係を示すトークンに対して、子の構成要素に応じた区切文節タイプである子区切文節タイプと、が存在し、出力部は、親区切文節タイプに対応する記述断片と、子区切文節タイプに対応する記述断片との親子関係が分かるように両記述断片を表示してもよい。
このような構成により、特許請求項に含まれる構成要素の親子関係をより明確に示すことができるようになる。
【００２４】
また、本発明による請求項構造情報生成装置では、親区切文節タイプと子区切文節タイプとの付与された特許請求項情報を用いて、構成要素の親子関係を取得する親子関係取得部と、親子関係取得部が取得した構成要素の親子関係を用いて、構成要素の階層レベルを取得する階層レベル取得部と、を備え、出力部は、階層レベル取得部が取得した階層レベルに応じて、親区切文節タイプ及び子区切文節タイプに対応する記述断片を表示してもよい。
このような構成により、階層レベルに応じた表示が可能となり、例えば、ある構成要素がどの階層に存在するのかを容易に把握することができるようになる。
【発明の効果】
【００２５】
本発明による請求項構造情報生成装置等によれば、より深い構造を持つ特許請求項についても、構造解析を行うことができる。
【図面の簡単な説明】
【００２６】
【図１】本発明の実施の形態１による請求項構造情報生成装置の構成を示すブロック図
【図２】同実施の形態による請求項構造情報生成装置の動作を示すフローチャート
【図３】同実施の形態における表層区切情報の一例を示す図
【図４】同実施の形態における文節タイプ対応情報の一例を示す図
【図５Ａ】同実施の形態における状態遷移表の一例を示す図
【図５Ｂ】同実施の形態における状態遷移表の一例を示す図
【図６Ａ】同実施の形態における文法ファイルの一例を示す図
【図６Ｂ】同実施の形態における文法ファイルの一例を示す図
【図６Ｃ】同実施の形態における文法ファイルの一例を示す図
【図６Ｄ】同実施の形態における文法ファイルの一例を示す図
【図６Ｅ】同実施の形態における文法ファイルの一例を示す図
【図６Ｆ】同実施の形態における文法ファイルの一例を示す図
【図６Ｇ】同実施の形態における文法ファイルの一例を示す図
【図６Ｈ】同実施の形態における文法ファイルの一例を示す図
【図６Ｉ】同実施の形態における文法ファイルの一例を示す図
【図６Ｊ】同実施の形態における文法ファイルの一例を示す図
【図６Ｋ】同実施の形態における文法ファイルの一例を示す図
【図６Ｌ】同実施の形態における文法ファイルの一例を示す図
【図７Ａ】同実施の形態における請求項構造情報の一例を示す図
【図７Ｂ】同実施の形態における請求項構造情報の一例を示す図
【図８】同実施の形態における請求項構造情報の表示の一例を示す図
【図９】同実施の形態における請求項構造情報の表示の一例を示す図
【図１０】同実施の形態における請求項構造情報の表示の一例を示す図
【図１１】同実施の形態による請求項構造情報生成装置の他の構成を示すブロック図
【図１２】同実施の形態における構成要素の親子関係の一例を示す図
【図１３】同実施の形態における請求項構造情報の表示の一例を示す図
【図１４】上記実施の形態におけるコンピュータシステムの外観一例を示す模式図
【図１５】上記実施の形態におけるコンピュータシステムの構成の一例を示す図
【図１６】従来例における特許請求項の解析結果の一例を示す図
【発明を実施するための形態】
【００２７】
以下、本発明による請求項構造情報生成装置について、実施の形態を用いて説明する。なお、以下の実施の形態において、同じ符号を付した構成要素及びステップは同一または相当するものであり、再度の説明を省略することがある。
【００２８】
（実施の形態１）
本発明の実施の形態１による請求項構造情報生成装置について、図面を参照しながら説明する。本実施の形態による請求項構造情報生成装置は、表層及び品詞の手がかり情報を用いることによって、より深い構造を持つ特許請求項についても、構造解析を行うものである。
【００２９】
図１は、本実施の形態による請求項構造情報生成装置１の構成を示すブロック図である。本実施の形態による請求項構造情報生成装置１は、特許請求項のテキストが区切られた記述断片とその記述断片の構造とを示す請求項構造情報を生成するものであって、記憶部１１と、形態素解析部１２と、文節特定部１３と、表層区切情報記憶部１４と、トークン付与部１５と、文節タイプ対応情報記憶部１６と、区切文節タイプ付与部１７と、区切文節タイプ変更部１８と、生成部１９と、出力部２０とを備える。なお、記述断片とは、特許請求項において、係り受け関係を解析する単位であり、隣接する複数の文字から構成されるものである。記述断片は、例えば、構成要素を含む文節であってもよく、構成要素に関する説明であってもよく、特許請求項に独特な表現（例えば、構成要素の包含関係を示す表現や、ジェプソン形式であることを示す表現、引用関係を示す表現等）であってもよく、その他のものであってもよい。
【００３０】
記憶部１１では、特許請求項のテキストである特許請求項情報が記憶される。その特許請求項情報は、例えば、一の請求項の情報であってもよく、あるいは、複数の請求項の情報であってもよい。後者の場合には、複数の請求項は、従属関係を有するものであってもよく、あるいは、そうでなくてもよい。また、その特許請求項情報は、例えば、特許公報や特許公開公報における［特許請求の範囲］の情報であってもよく、あるいは、そうでなくてもよい。この記憶部１１で記憶される特許請求項情報が、構造解析の対象となるものである。
【００３１】
記憶部１１に特許請求項情報が記憶される過程は問わない。例えば、記録媒体を介して情報が記憶部１１で記憶されるようになってもよく、通信回線等を介して送信された特許請求項情報が記憶部１１で記憶されるようになってもよく、あるいは、入力デバイスを介して入力された特許請求項情報が記憶部１１で記憶されるようになってもよい。記憶部１１での記憶は、ＲＡＭ等における一時的な記憶でもよく、あるいは、長期的な記憶でもよい。記憶部１１は、所定の記録媒体（例えば、半導体メモリや磁気ディスク、光ディスクなど）によって実現されうる。なお、記憶部１１において、特許請求項情報以外の情報が記憶されてもよいことは言うまでもない。例えば、後述する各構成要素による処理の結果の情報（具体的には、形態素解析の結果や、付与されたトークン、文節タイプ等）が記憶部１１で記憶されてもよい。
【００３２】
形態素解析部１２は、記憶部１１で記憶されている特許請求項情報を形態素解析する。その形態素解析によって、特許請求項情報のテキストを形態素に分けることができ、また形態素ごとの品詞の情報を得ることができる。その形態素解析のシステムとしては、例えば、京都大学情報学研究科−日本電信電話株式会社コミュニケーション科学基礎研究所共同研究ユニットプロジェクトを通じて開発された「ＭｅＣａｂ」や、奈良先端科学技術大学院大学で開発された「ＣｈａＳｅｎ（茶筌）」（ｈｔｔｐ：／／ｃｈａｓｅｎ．ｎａｉｓｔ．ｊｐ）等が知られている。例えば、「ＭｅＣａｂ」の場合には、出力フォーマットのパラメータを指定することで、各形態素を１行で表示し、かつ、「見出し」、「品詞文字列」、「活用形」、「見出し（基本形）」、「２階層目の品詞」の５つの情報をタブ区切りで出力させることができる。なお、「ＭｅＣａｂ」は１行ごとに解析を行う仕様となっているため、特許請求項情報のテキストにおいて改行が存在する場合には、行ごとに形態素解析を行い、行の区切りを示す品詞文字列（例えば、「ＮＥＷＬＩＮＥ」等）を挿入した上で、結果を連結させてもよい。この形態素解析部１２による形態素解析の結果は、記憶部１１で記憶されてもよく、あるいは、他の図示しない記録媒体で記憶されてもよい。
【００３３】
文節特定部１３は、特許請求項情報の文節の区切位置を特定する。この文節の区切位置を特定する方法は問わない。例えば、形態素解析の結果である形態素を文節単位にまとめ上げることによって、文節の区切位置を特定してもよく、あるいは、手がかり句やその他の情報を用いることによって、特許請求項情報そのものから文節の区切位置を特定してもよい。本実施の形態では、前者の場合について説明する。その前者の場合には、文節特定部１３は、例えば、図５で示される状態遷移表と、形態素解析の結果である「品詞文字列」、「活用形」、「２階層目の品詞」とを用いて、形態素を文節にまとめ上げてもよい。例えば、形態素Ａ，Ｂがこの順番で並んでいた場合に、図５の状態遷移表における形態素Ａに対応する「現在」の行と、形態素Ｂに対応する「次」の列との交わるところの数値が「１」であれば、形態素Ａ，Ｂの間に文節の区切位置が存在しないことになり（すなわち、形態素Ａ，Ｂは同じ文節に含まれることになる）、その数値が「０」であれば、形態素Ａ，Ｂの間に文節の区切位置が存在することになる（すなわち、形態素Ａ，Ｂは異なる文節に含まれることになる）。この処理をすべての隣接する２個の形態素について行うことによって、文節特定部１３は、文節の区切位置を特定することができる。なお、これ以外の方法によって、文節の区切位置の特定を行ってもよいことは言うまでもない。例えば、連続する２個の形態素について、両者が同一の文節に含まれるべきかどうかを記述するルールを列挙し、それを順次適用することで文節まとめ上げをしてもよい。また、文節の区切位置を特定するとは、例えば、文節の区切位置を示す情報（例えば、文節の区切位置に応じた先頭からの文字数や、バイト数等）を記憶部１１や図示しない記録媒体に蓄積することであってもよく、形態素間の文節の区切位置に対応する箇所に、区切位置であることを示す情報を挿入することであってもよく、形態素解析の結果である各形態素を、文節単位にまとめ上げることであってもよく、あるいは、文節の区切位置を知ることができるその他の方法であってもよい。また、文節特定部１３が文節の区切位置の特定を行うタイミングは、その特定を形態素解析の結果を用いて行う場合には、形態素解析部１２による形態素解析の後となる。また、その特定を、後述する表層の手がかり情報に対応するトークンをも用いて行う場合には、文節特定部１３は、後述するトークン付与部１５によるトークンの付与後に文節の区切位置の特定を行ってもよい。また、その特定を、特許請求項情報そのものから行う場合には、文節特定部１３は、形態素解析やトークンの付与と関係のないタイミングで文節の区切位置の特定を行ってもよい。
【００３４】
表層区切情報記憶部１４では、２以上の表層区切情報が記憶される。ここで、表層区切情報は、記述断片の区切となると共に記述断片間の関係を示す表層の手がかり情報と、その表層の手がかり情報に対応するトークンとを有する情報である。表層とは、文字列そのものの意味である。前述のＭｅＣａｂの説明における「見出し」が表層である。表層の手がかり情報は、いわゆる手がかり句のことである。その表層の手がかり情報は、通常、正規表現を用いて記述される。トークンは、その表層の手がかり情報を識別する情報である。
【００３５】
その表層の手がかり情報には、例えば、ジェプソン形式の記載（例えば、「において、」等）に応じたものが存在してもよく、特徴記載（例えば、「を特徴とする、」等）に応じたものが存在してもよく、構成要素の包含関係の記載（例えば、「を備えた」「を備えており、」等）に応じたものが存在してもよく、引用関係の記載（例えば、「請求項…に」等）に応じたものが存在してもよい。また、それらの表層の手がかり情報に対応して、ジェプソン形式のトークンや、特徴記載のトークン、構成要素の包含関係のトークン、引用関係のトークン等が存在してもよい。この表層の手がかり情報は、記述断片の区切となるものである。すなわち、表層の手がかり情報に該当する位置の直前及び／または直後が、通常、記述断片の区切位置となる。また、表層の手がかり情報によって、記述断片の間の関係が検出されることになる。すなわち、表層の手がかり情報は、その表層の手がかり情報を用いることによって記述断片間の関係を検出できる、という意味において、記述断片間の関係を示すものである。その記述断片間の関係は、例えば、記述断片の係り受けの関係であり、その係り受けの詳細については後述する。
【００３６】
表層区切情報記憶部１４に２以上の表層区切情報が記憶される過程は問わない。例えば、記録媒体を介して２以上の表層区切情報が表層区切情報記憶部１４で記憶されるようになってもよく、通信回線等を介して送信された２以上の表層区切情報が表層区切情報記憶部１４で記憶されるようになってもよく、あるいは、入力デバイスを介して入力された２以上の表層区切情報が表層区切情報記憶部１４で記憶されるようになってもよい。表層区切情報記憶部１４での記憶は、ＲＡＭ等における一時的な記憶でもよく、あるいは、長期的な記憶でもよい。表層区切情報記憶部１４は、所定の記録媒体（例えば、半導体メモリや磁気ディスク、光ディスクなど）によって実現されうる。
【００３７】
また、表層区切情報に含まれる各情報、例えば、表層の手がかり情報やトークンは、それらの情報そのものであってもよく、あるいは、それらの情報を特定可能な情報であってもよい。後者の場合には、表層区切情報に含まれる表層の手がかり情報等は、例えば、表層の手がかり情報等が格納されている領域を示すポインタやアドレスであってもよい。このことは、他の情報についても同様であるとする。
【００３８】
トークン付与部１５は、特許請求項情報において、表層の手かがり情報に該当する位置に、その表層の手がかり情報に対応するトークンを付与する。トークンを付与するとは、特許請求項情報において、結果としてトークンに対応する位置を特定することができるのであれば、その手法は問わない。トークン付与部１５は、例えば、特許請求項情報の文字列そのものに対して、トークンを追記してもよく、あるいは、トークンと、そのトークンに対応する特許請求項情報の範囲とを対応付ける情報を記憶部１１や他の図示しない記録媒体に蓄積してもよい。本実施の形態では、前者の場合について説明する。トークン付与部１５は、例えば、表層区切情報に含まれる表層の手がかり情報を検索キーとして特許請求項情報を検索し、ヒットした箇所に、その表層の手がかり情報に対応するトークンを付与してもよい。トークン付与部１５は、そのような処理を、表層区切情報に含まれるすべての表層の手がかり情報について行ってもよい。なお、第１の表層の手がかり情報（例えば、「ことを特徴とする」）が、第２の表層の手がかり情報（例えば、「を特徴とする」）を含む場合には、トークン付与部１５は、例えば、第１の表層の手がかり情報から先に検索を行ってトークンを付与し、トークンの付与されている箇所は、それ以降の検索時に検索を行わないようにしてもよい。または、トークン付与部１５は、例えば、第２の表層の手がかり情報から先に検索を行ってトークンを付与し、第１の表層の手がかり情報を用いた検索を行う際に、すでにトークンの付与されている箇所についても検索を行って、すでにトークンの付与されている箇所がヒットした際には、上書きでトークンを付与してもよい。
【００３９】
文節タイプ対応情報記憶部１６では、２以上の文節タイプ対応情報が記憶される。ここで、文節タイプ対応情報は、記述断片の区切となる文節の品詞の手がかり情報と、その品詞の手がかり情報に対応する区切文節タイプとを有する情報である。品詞の手がかり情報は、表層の手がかり句の品詞版と言いうるものである。すなわち、品詞の手がかり情報は、品詞に関する条件を少なくとも含む手がかり情報である。品詞の手がかり情報は、品詞のみを特定する情報であってもよく、品詞と活用形とを特定する情報であってもよく、品詞や、品詞と活用形以外に、表層の情報をも特定する情報であってもよく、その他の品詞に関係する情報であってもよい。なお、品詞の手がかり情報には、記述断片の区切とは関係のない文節の品詞の手がかり情報が存在してもよい。その場合には、そのような区切と関係のない文節の品詞の手がかり情報に対応する文節のタイプと、区切文節タイプとを含めて、単に文節タイプと呼ぶことにする。すなわち、文節タイプには、その文節が記述断片の区切となる区切文節タイプと、区切とは関係のないものとが存在することになる。
【００４０】
その品詞の手がかり情報には、例えば、並列する記述断片の終端の区切文節タイプ（以下、これを「終端区切文節タイプ」と呼ぶこともある）に応じたもの（例えば、「動詞や助動詞の終止形」等）が存在してもよく、並列する記述断片が継続しうる（すなわち、終端とは言えない）区切文節タイプ（以下、これを「継続区切文節タイプ」と呼ぶこともある）に応じたもの（例えば、「動詞や助動詞の連用形」「名詞＋と」等）が存在してもよい。また、その他の品詞の手かがり情報が存在してもよい。
【００４１】
文節タイプ対応情報記憶部１６に２以上の文節タイプ対応情報が記憶される過程は問わない。例えば、記録媒体を介して２以上の文節タイプ対応情報が文節タイプ対応情報記憶部１６で記憶されるようになってもよく、通信回線等を介して送信された２以上の文節タイプ対応情報が文節タイプ対応情報記憶部１６で記憶されるようになってもよく、あるいは、入力デバイスを介して入力された２以上の文節タイプ対応情報が文節タイプ対応情報記憶部１６で記憶されるようになってもよい。文節タイプ対応情報記憶部１６での記憶は、ＲＡＭ等における一時的な記憶でもよく、あるいは、長期的な記憶でもよい。文節タイプ対応情報記憶部１６は、所定の記録媒体（例えば、半導体メモリや磁気ディスク、光ディスクなど）によって実現されうる。
【００４２】
区切文節タイプ付与部１７は、特許請求項情報において、品詞の手がかり情報に該当する文節に、品詞の手がかり情報に対応する区切文節タイプを付与する。区切文節タイプ付与部１７は、区切文節タイプではない文節タイプを付与してもよい。また、区切文節タイプ付与部１７は、形態素解析部１２による形態素解析の結果を用いて、この付与の処理を行うものとする。文節タイプの付与は、前述したトークンの付与と同様に、特許請求項情報において、結果として文節タイプに対応する位置を特定することができるのであれば、その手法は問わない。例えば、特許請求項情報の文字列そのものに対して、文節タイプを追記してもよく、あるいは、文節タイプと、その文節タイプに対応する特許請求項情報の範囲とを対応付ける情報を記憶部１１や他の図示しない記録媒体に蓄積してもよい。本実施の形態では、前者の場合について説明する。区切文節タイプ付与部１７は、例えば、文節タイプ対応情報に含まれる品詞の手がかり情報を検索キーとして形態素解析の結果を検索し、ヒットした箇所に、その品詞の手がかり情報に対応する文節タイプを付与してもよい。区切文節タイプ付与部１７は、そのような処理を、文節タイプ対応情報に含まれるすべての品詞の手がかり情報について行ってもよい。なお、第１の品詞の手がかり情報が、第２の品詞の手がかり情報を含む場合には、トークンの付与の場合と同様に、例えば、第１の品詞の手がかり情報から先に文節タイプの付与を行い、すでに文節タイプの付与されている箇所は、それ以降の文節タイプの付与を行わないようにしてもよく、または、第２の品詞の手がかり情報から先に文節タイプの付与を行い、第１の品詞の手がかり情報を用いた文節タイプの付与を行う際に、すでに文節タイプの付与されている箇所については、上書きで文節タイプを付与してもよい。この区切文節タイプ付与部１７による文節タイプの付与の結果、一の文節に一の文節タイプが付与されることになる。なお、文節タイプの付与されない文節が存在してもよい。また、今後の説明において、文節タイプＡの付与された文節のことを、単にＡと呼ぶこともある。
【００４３】
区切文節タイプ変更部１８は、記述断片の区切の並びに応じて、記述断片の区切でない位置に存在する区切文節タイプを削除する。「記述断片の区切の並びに応じて」とは、特許請求項情報に付与されたトークンや区切文節タイプの並びに応じて、ということである。すなわち、付与されたトークンや区切文節タイプの並びが所定の条件を満たした場合に、区切文節タイプ変更部１８は、その条件を満たした並びにおける特定の区切文節タイプを削除する。具体的には、区切文節タイプ変更部１８は、終端区切文節タイプと、その終端区切文節タイプより以前の（すなわち、それよりも先頭に近い位置に存在する）継続区切文節タイプとの間に終端区切文節タイプが存在する場合に、その終端区切文節タイプと継続区切文節タイプとの間に存在する終端区切文節タイプを削除してもよい。また、区切文節タイプ変更部１８は、改行が存在する場合であって、改行が後続しない、動詞に関する区切文節タイプ（この区切文節タイプは、例えば、動詞に関する終端区切文節タイプであってもよく、動詞に関する継続区切文節タイプであってもよい）が存在する場合に、その区切文節タイプを削除してもよい。なお、「改行が後続しない」区切文節タイプとは、その区切文節タイプの付与された文節の直後に改行が存在しない区切文節タイプのことである。また、「動詞に関する区切文節タイプ」とは、動詞または助動詞に関する品詞の手がかり情報に対応する区切文節タイプのことである。また、区切文節タイプ変更部１８は、注目している範囲内において、その処理を行ってもよい。例えば、区切文節タイプ変更部１８は、ジェプソン形式のトークンの付与されている位置よりも先頭に近い部分（この部分を「前半部」と呼ぶこともある）について、この処理を行い、また、ジェプソン形式のトークンの付与されている位置よりも終端に近い部分（この部分を「後半部」と呼ぶこともある）について、この処理を行ってもよい。また、例えば、区切文節タイプ変更部１８は、一つの請求項の全体に対してこの処理を行ってもよい。また、区切文節タイプ変更部１８は、区切文節タイプの削除以外に、文節タイプの付け替え（変更）を行ってもよい。区切文節タイプ変更部１８は、区切文節タイプではない文節タイプを、区切文節タイプに変更してもよく、あるいは、区切文節タイプを区切文節タイプではない文節タイプに変更してもよい。後者は、区切文節タイプがなくなるという意味において、区切文節タイプの削除であると言うこともできる。
【００４４】
また、区切文節タイプ変更部１８は、トークンや文節タイプの並びに応じて、区切文節タイプではない文節タイプを区切文節タイプに変更してもよい。この場合には、新たな区切文節タイプが生成されることになる。例えば、区切文節タイプ変更部１８は、改行が存在する場合であって、改行が後続する、動詞に関する文節タイプ（この文節タイプは区切文節タイプではないものとする）が存在する場合に、その文節タイプを区切文節タイプに変更してもよい。また、例えば、区切文節タイプ変更部１８は、構成要素の包含関係のトークンの直前の名詞に関する文節タイプ（この文節タイプは区切文節タイプではないものとする）が存在する場合に、その文節タイプを区切文節タイプに変更してもよい。名詞に関する文節タイプとは、名詞に関する品詞の手がかり情報に対応する文節タイプのことである。また、区切文節タイプ変更部１８による文節タイプの変更には、後述する生成部１９において、構文解析器を用いた解析が行われる場合に、その解析に合致する記述とするための変更が含まれてもよい。
【００４５】
ここで、トークンの付与と、文節タイプの付与、及び文節タイプの変更について簡単に説明する。特許請求項情報にトークンや文節タイプが付与されることによって、特許請求項情報における記述断片の区切位置を特定することができるようになる。トークンは、表層の手がかり句を用いて付与されるものであり、文節タイプは、品詞に関する条件を用いて付与されるものである。また、文節タイプが変更されることによって、その区切位置がより適切なものとなることになる。なお、本実施の形態による請求項構造情報生成装置１では、文節を単位として記述断片の区切位置を検出するため、従来例のように形態素を単位として記述断片の区切位置の検出を行う場合よりも、より詳細な構造に関するルールを設定することができる。従来例の場合には、文節よりも細かい形態素を単位としていたため、より詳細な構造に関するルールを設定しようとした場合に、そのルールが非常に細かいものとなってしまい、実質的にルールを作り上げることができなかった。一方、本実施の形態による請求項構造情報生成装置１では、文節を単位としているため、より詳細な構造に関するルールを妥当な範囲で設定することができ、より詳細な構造に関する解析が可能となった。
【００４６】
生成部１９は、特許請求項情報に付与されたトークンと区切文節タイプとを用い、あらかじめ規定されている特許請求項の構造を示す規則に応じて、特許請求項情報の記述断片の構造を示す請求項構造情報を生成する。なお、区切文節タイプ変更部１８による区切文節タイプの削除や文節タイプの変更が行われた場合には、生成部１９は、区切文節タイプ変更部１８が区切文節タイプを削除したり、文節タイプを変更したりした後に、請求項構造情報を生成する。すなわち、その削除や変更の行われた後の、特許請求項情報に付与されたトークンと区切文節タイプとを用いて、生成部１９は、請求項構造情報を生成する。請求項構造情報は、記述断片の区切と、その記述断片の属性とを少なくとも示す情報である。記述断片の属性とは、例えば、記述断片が構成要素名を含むことを示すものであってもよく、記述断片が、構成要素名を含む記述断片に対する説明であることを示すものであってもよく、記述断片がジェプソン形式の記載であることを示すものであってもよく、記述断片が構成要素の包含関係の記載であることを示すものであってもよく、記述断片間の係り受け関係を示すものであってもよい。生成部１９は、特許請求項情報に付与されたトークンや区切文節タイプの種類に応じて、記述断片の区切位置を特定することができる。例えば、トークンや区切文節タイプと、そのトークンや区切文節タイプに対応する区切位置とを有する情報を用いて、生成部１９は、記述断片の区切位置を特定できる。また、生成部１９は、特許請求項情報に付与されたトークンや区切文節タイプそのもの、あるいは、それらの並びに応じて、記述断片の属性を特定することができる。例えば、トークンや区切文節タイプと、そのトークンや区切文節タイプに対応する属性とを有する情報を用いて、生成部１９は、記述断片の属性を特定できる。また、例えば、トークンや区切文節タイプの並びを示す情報と、そのトークンや区切文節タイプに対応する属性とを有する情報を用いて、生成部１９は、記述断片の属性を特定できる。
【００４７】
生成部１９は、例えば、構文解析器を用いて、トークン及び区切文節タイプの付与された特許請求項情報に対応する請求項構造情報を生成してもよい。その構文解析器（パーサ）は、文脈自由文法で記述されたトークン及び区切文節タイプに関する規則と、規則に対応する構造を特許請求項情報に付与するアクションとを有する文法ファイルを用いて生成されたものである。すなわち、その構文解析器によって、トークン及び区切文節タイプの付与された特許請求項情報を解析することによって、請求項構造情報が得られる。この場合には、生成部１９は、あらかじめ規定されている特許請求項の構造を示す規則である文法ファイルに応じて、請求項構造情報を生成することになる。生成部１９は、その特許請求項情報に、文法ファイルに含まれる規則に対応した構造を示すマーク（例えば、タグなど）を付与することによって、マークアップ言語を用いて記述された請求項構造情報を生成してもよい。その規則は、例えば、トークンや区切文節タイプの並びに関する規則であってもよい。また、アクションは、記述断片の属性に応じたものであってもよい。マークアップ言語は、例えば、ＸＭＬ（Ｅｘｔｅｎｓｉｂｌｅ  Ｍａｒｋｕｐ  Ｌａｎｇｕａｇｅ）であってもよく、その他のものであってもよい。そのＸＭＬの構造としては、谷川英和らが提案しているＰＭＬ（Ｐａｔｅｎｔ  Ｍａｒｋｕｐ  Ｌａｎｇｕａｇｅ）を使用してもよい（ｈｔｔｐ：／／ｗｗｗ．ｉｒｄ−ｐａｔ．ｃｏｍ／ｐｍｌ．ｈｔｍｌ）。また、その構文解析器を用いて請求項構造情報を生成する際に、生成部１９は、トークン及び区切文節タイプの付与された特許請求項情報を終端から先頭への方向で取り込むことによって請求項構造情報を生成してもよい。特許請求項では、終端に定型的な表現が存在し、その終端から先頭の方向で構造が確定するため、このような構成により、文法のあいまいさに起因する問題の発生を回避することができうる。例えば、ｓｈｉｆｔ／ｒｅｄｕｃｅ  ｃｏｎｆｌｉｃｔや、ｒｅｄｕｃｅ／ｒｅｄｕｃｅ  ｃｏｎｆｌｉｃｔといった曖昧性を回避することができる。なお、この場合には、特許請求項の構造の文脈自由文法による記述が特許請求項の終端から先頭への方向で記述されているものとする。
【００４８】
また、生成部１９は、例えば、あらかじめ規定されているトークンの付与された記述断片及び区切文節タイプの付与された記述断片の係り受け関係に応じて、トークン付与部１５が付与したトークン及び区切文節タイプ付与部１７が付与した区切文節タイプで区切の示される記述断片間の係り受け関係を特定し、記述断片間の係り受け関係を示す請求項構造情報を生成してもよい。この場合には、あらかじめ規定されているトークンの付与された記述断片及び区切文節タイプの付与された記述断片の係り受け関係が、あらかじめ規定されている特許請求項の構造を示す規則である。あらかじめ規定されているトークンの付与された記述断片及び区切文節タイプの付与された記述断片の係り受け関係には、例えば、トークンの付与された記述断片同士の係り受け関係が含まれてもよく、区切文節タイプの付与された記述断片同士の係り受け関係が含まれてもよく、トークンの付与された記述断片と区切文節タイプの付与された記述断片との間の係り受け関係が含まれてもよい。例えば、区切文節タイプＡの付与された記述断片は、トークンＢの付与された記述断片に係ることがあらかじめ規定されている場合には、生成部１９は、区切文節タイプＡの付与された記述断片が、トークンＢの付与された記述断片に係る、という係り受け関係を示す請求項構造情報を生成してもよい。その請求項構造情報は、例えば、記述断片と、その記述断片が係る記述断片を識別する情報とを対応付けた情報であってもよい。
【００４９】
出力部２０は、生成部１９が生成した請求項構造情報を出力する。ここで、この出力は、例えば、表示デバイス（例えば、ＣＲＴや液晶ディスプレイなど）への表示でもよく、所定の機器への通信回線を介した送信でもよく、プリンタによる印刷でもよく、記録媒体への蓄積でもよく、他の構成要素への引き渡しでもよい。その出力が表示である場合に、出力部２０は、生成部１９が生成した請求項構造情報を、記述断片間の関係が分かるように表示してもよい。例えば、請求項構造情報が、記述断片間の係り受け関係を示すものである場合には、出力部２０は、記述断片と、その記述断片間の係り受けに対応する図形とを表示してもよい。その係り受けに対応する図形は、例えば、係り受け関係のある２個の記述断片をつなぐ線の図形であってもよく、係り受け関係のある２個の記述断片の双方に付与された同じマークの図形であってもよく、その他の係り受け関係を示す図形であってもよい。また、例えば、請求項構造情報が、記述断片の区切と、その記述断片の属性とを少なくとも示す情報である場合には、出力部２０は、あらかじめ規定されている属性の係り受け関係に応じて、記述断片間の係り受け関係が分かるように表示してもよい。その表示は、例えば、前述のように、記述断片と、その記述断片間の係り受けに対応する図形とを表示するものであってもよい。
【００５０】
なお、出力部２０は、出力を行うデバイス（例えば、表示デバイスやプリンタなど）を含んでもよく、あるいは含まなくてもよい。また、出力部２０は、ハードウェアによって実現されてもよく、あるいは、それらのデバイスを駆動するドライバ等のソフトウェアによって実現されてもよい。
【００５１】
なお、記憶部１１と、表層区切情報記憶部１４と、文節タイプ対応情報記憶部１６との任意の２以上の記憶部は、同一の記録媒体によって実現されてもよく、あるいは、別々の記録媒体で実現されてもよい。前者の場合には、例えば、特許請求項情報を記憶している領域が記憶部１１となり、表層区切情報を記憶している領域が表層区切情報記憶部１４となる。
【００５２】
次に、本実施の形態による請求項構造情報生成装置１の動作について、図２のフローチャートを用いて説明する。なお、このフローチャートにおいて、形態素解析やトークンの付与等の行われた特許請求項情報が、すべて記憶部１１で記憶される場合について説明する。
【００５３】
（ステップＳ１０１）形態素解析部１２は、記憶部１１で記憶されている特許請求項情報を形態素解析する。そして、形態素解析部１２は、その結果を記憶部１１に蓄積する。その形態素解析の結果は、例えば、一つの形態素の情報が一行となるテキストファイルであってもよい。
【００５４】
（ステップＳ１０２）トークン付与部１５は、記憶部１１で記憶されている特許請求項情報に対して、表層区切情報記憶部１４で記憶されている表層区切情報を用いて、トークンの付与を行う。付与されたトークンは、記憶部１１において、特許請求項情報の該当箇所に対応付けられて記憶されるものとする。トークンは、例えば、形態素解析の結果のテキストファイルにおいて、表層の手がかり情報に該当する箇所と同じ行に追記されてもよい。なお、表層の手がかり情報に該当する箇所が複数の形態素にまたがる場合には、トークン付与部１５は、例えば、その複数の形態素を一つにまとめてもよい。
【００５５】
（ステップＳ１０３）文節特定部１３は、記憶部１１で記憶されている形態素解析後の各形態素をまとめ上げることによって、文節の区切を特定する。文節特定部１３は、例えば、特定した文節の区切位置である形態素の間に、文節の区切位置であることを示す情報を追記してもよい。
【００５６】
（ステップＳ１０４）区切文節タイプ付与部１７は、記憶部１１で記憶されている特許請求項情報の文節に対して、文節タイプ対応情報記憶部１６で記憶されている文節タイプ対応情報を用いて、文節タイプを付与する。その付与する文節タイプには、区切文節タイプが含まれていることは前述の通りである。付与された文節タイプは、記憶部１１において、特許請求項情報の該当する文節に対応付けられて記憶されるものとする。文節タイプは、例えば、文節の区切位置の特定後のテキストファイルにおいて、品詞の手がかり情報に該当する箇所と同じ行に追記されてもよい。なお、一つの文節が複数の形態素から構成されている場合には、区切文節タイプ付与部１７は、例えば、この文節タイプの付与後に、文節ごとに一行となるように、その複数の形態素をまとめてもよい。
【００５７】
（ステップＳ１０５）区切文節タイプ変更部１８は、付与された文節タイプを、トークンや文節タイプの並びに応じて変更する。その変更には、記述断片の区切でない位置に存在する区切文節タイプを削除することが含まれることは、前述の通りである。また、区切文節タイプ変更部１８は、前述のように、区切文節タイプでない文節タイプを区切文節タイプに変更してもよく、その他の文節タイプの変更を行ってもよい。
【００５８】
（ステップＳ１０６）生成部１９は、トークンや文節タイプの付与された特許請求項情報から、請求項構造情報を生成する。
【００５９】
（ステップＳ１０７）出力部２０は、生成部１９が生成した請求項構造情報を出力する。そして、請求項構造情報を生成し、出力する一連の処理が終了となる。
【００６０】
なお、特許請求項情報に複数の請求項が含まれる場合には、図２のフローチャートにおいて、ステップＳ１０１〜Ｓ１０７の処理を、請求項ごとに繰り返して実行してもよく、あるいは、複数の請求項の全体に対して、ステップＳ１０１〜Ｓ１０７の処理を行ってもよい。また、文節の区切位置の特定において付与されたトークンを用いない場合には、トークンの付与の処理を行うタイミングは、文節タイプの変更の処理（ステップＳ１０５）よりも以前であればいつでもよい。
【００６１】
次に、本実施の形態による請求項構造情報生成装置１の動作について、具体例を用いて説明する。この具体例では、一の請求項に関する処理について説明するが、特許請求項情報に複数の請求項が含まれていた場合には、その処理を繰り返して実行することによって、複数の請求項についても、解析を行うことができる。また、ここでも、従来例の説明と同様に、次の特許請求項情報が記憶部１１で記憶されているものとする。
【００６２】
［特許請求項情報］
画像形成装置において、
外部に接続されるダクトと、
エアを排出する送風手段と、
エアを清浄化する清浄化手段と、を備え、
前記ダクトは内部ダクトを有し、
前記清浄化手段は、前記内部ダクト内に設置されている、
ことを特徴とする画像形成装置。
【００６３】
また、この具体例において、表層区切情報記憶部１４では、図３で示される６種類の表層区切情報が記憶されているものとする。なお、図３における表層の手がかり情報の表現、及びこれ以降の説明において、Ｐｅｒｌ言語の正規表現の表記を用いている。なお、そのＰｅｒｌ言語については、次の文献を参照されたい。
文献：Ｌａｒｒｙ  Ｗａｌｌ，Ｔｏｍ  Ｃｈｒｉｓｔｉａｎｓｅｎ，Ｒａｎｄａｌ  Ｌ．Ｓｈｃｗａｒｔｚ、「プログラミングＰｅｒｌ  改訂版」、オライリージャパン、１９９７年
【００６４】
図３の表層区切情報の表層の手がかり情報において、複数行で記述している手がかり情報は、いずれか一つに該当した場合に、対応するトークンを付与することを意味している。トークン「ＪＥＰＳＯＮ＿ＣＵＥ」は、ジェプソン形式の特許請求項に特徴的な手がかり句に対応するものである。トークン「ＦＥＡＴＵＲＥ＿ＣＵＥ」、「ＦＥＡＴＵＲＥ＿Ｋ＿ＣＵＥ」は、特許請求項で使用される特徴記載の手がかり句に対応するものである。トークン「ＣＯＭＰＯＳＥ＿Ｋ＿ＣＵＥ」は、「〜と、〜と、〜とを備えた○○」という構成要素列挙型の特許請求項で使われる手がかり句に対応するものであり、トークン「ＣＯＭＰＯＳＥ＿Ｒ＿ＣＵＥ」は、「〜と、〜と、〜とを備え、〜し、〜し、〜する○○」という変形構成要素列挙型の特許請求項で使われる手がかり句に対応するものである。トークン「ＱＵＯＴＥ＿ＣＵＥ」は、特許請求項の従属関係を示す記載の手がかり句に対応するものである。
【００６５】
また、この具体例において、文節タイプ対応情報記憶部１６では、図４で示される文節タイプ対応情報が記憶されているものとする。なお、図４の品詞の手がかり情報において、「Ｘ」は、名詞または記号である。記号は、句読点を含むものである。また、「Ｙ」は、「体言接続特殊２」の動詞、または接頭詞である。また、図４の文節タイプ対応情報の品詞の手がかり情報において、複数行で記述している手がかり情報は、いずれか一つに該当した場合に、対応する文節タイプを付与することを意味している。例えば、動詞もしくは助動詞の連用形で終わる文節、または、動詞もしくは助動詞の基本形と、それに続く助詞「と共に」もしくは「とともに」で終わる文節には、文節タイプ「ＶＰＲ」が付与されることを示している。また、図４の文節タイプには、区切文節タイプと、そうでないものとの両方が含まれるが、ＶＰＲ＿Ｐ，ＶＰＫ＿Ｐ，ＮＰＴ＿Ｐが、記述断片の区切を示す区切文節タイプである。また、ＶＰＫ＿Ｐは、終端区切文節タイプであり、ＶＰＲ＿Ｐ，ＮＰＴ＿Ｐは、継続区切文節タイプである。
【００６６】
まず、形態素解析部１２は、記憶部１１で記憶されている特許請求項情報に対して、行ごとに形態素解析を行い（すなわち、７回形態素解析を行うことになる）、行区切りの位置に「ＮＥＷＬＩＮＥ」を挿入した（ステップＳ１０１）。ここでは、形態素解析システム「ＭｅＣａｂ」を用いた。その結果は、次の通りである。なお、形態素解析部１２による形態素解析の結果は、記憶部１１で記憶されることになる。次の結果において、前述のように、形態素ごとに、「見出し（表層）」、「品詞文字列」、「活用形」、「見出し（基本形）」、「２階層目の品詞」の５つの情報が得られる。
【００６７】
［形態素解析の結果］
画像    名詞            画像    一般
形成    名詞            形成    サ変接続
装置    名詞            装置    サ変接続
において  助詞          において  格助詞
、      記号            、      読点
ＮＥＷＬＩＮＥ
外部    名詞            外部    一般
に      助詞            に      格助詞
接続    名詞            接続    サ変接続
さ      動詞    未然レル接続  する  自立
れる    動詞    基本形  れる    接尾
ダクト  名詞            ダクト  一般
と      助詞            と      並立助詞
、      記号            、      読点
ＮＥＷＬＩＮＥ
エア    名詞            エア    一般
を      助詞            を      格助詞
排出    名詞            排出    サ変接続
する    動詞    基本形  する    自立
送風    名詞            送風    サ変接続
手段    名詞            手段    一般
と      助詞            と      並立助詞
、      記号            、      読点
ＮＥＷＬＩＮＥ
エア    名詞            エア    一般
を      助詞            を      格助詞
清浄    名詞            清浄    サ変接続
化      名詞            化      接尾
する    動詞    基本形  する    自立
清浄    名詞            清浄    サ変接続
化      名詞            化      接尾
手段    名詞            手段    一般
と      助詞            と      並立助詞
、      記号            、      読点
を      助詞            を      格助詞
備え    動詞    連用形  備える  自立
、      記号            、      読点
ＮＥＷＬＩＮＥ
前記    名詞            前記    サ変接続
ダクト  名詞            ダクト  一般
は      助詞            は      係助詞
内部    名詞            内部    一般
ダクト  名詞            ダクト  一般
を      助詞            を      格助詞
有し    動詞    連用形  有す    自立
、      記号            、      読点
ＮＥＷＬＩＮＥ
前記    名詞            前記    サ変接続
清浄    名詞            清浄    サ変接続
化      名詞            化      接尾
手段    名詞            手段    一般
は      助詞            は      係助詞
、      記号            、      読点
前記    名詞            前記    サ変接続
内部    名詞            内部    一般
ダクト  名詞            ダクト  一般
内      名詞            内      接尾
に      助詞            に      格助詞
設置    名詞            設置    サ変接続
さ      動詞    未然レル接続  する  自立
れ      動詞    連用形  れる    接尾
て      助詞            て      接続助詞
いる    動詞    基本形  いる    非自立
、      記号            、      読点
ＮＥＷＬＩＮＥ
こと    名詞            こと    非自立
を      助詞            を      格助詞
特徴    名詞            特徴    一般
と      助詞            と      格助詞
する    動詞    基本形  する    自立
画像    名詞            画像    一般
形成    名詞            形成    サ変接続
装置    名詞            装置    サ変接続
。      記号            。      句点
【００６８】
次に、トークン付与部１５は、表層区切情報記憶部１４で記憶されている図３で示される表層区切情報を用いて、形態素解析の結果に対して、トークンを付与する（ステップＳ１０２）。具体的には、トークン付与部１５は、表層の手がかり情報を検索キーとして形態素解析の結果における見出し（表層）における検索を行い、ヒットしたところに、その表層の手がかり情報に対応するトークンを付与する。なお、トークンの付与の対象が２以上の形態素である場合には、その２以上の形態素を一つの集合（チャンク）として、それにトークンを付与する。また、トークン付与部１５が付与したトークンも、記憶部１１で記憶されることになる。この場合には、トークン「ＪＥＰＳＯＮ＿ＣＵＥ」、「ＣＯＭＰＯＳＥ＿Ｒ＿ＣＵＥ」、「ＦＥＡＴＵＲＥ＿Ｋ＿ＣＵＥ」が付与されている。
【００６９】
［トークンの付与の結果］
画像    名詞        画像    一般
形成    名詞        形成    サ変接続
装置    名詞        装置    サ変接続
において、    ＪＥＰＳＯＮ＿ＣＵＥ
ＮＥＷＬＩＮＥ
外部    名詞        外部    一般
に      助詞        に      格助詞
接続    名詞        接続    サ変接続
さ      動詞  未然レル接続  する  自立
れる    動詞  基本形  れる  接尾
ダクト  名詞        ダクト  一般
と      助詞        と      並立助詞
、      記号        、      読点
ＮＥＷＬＩＮＥ
エア    名詞        エア    一般
を      助詞        を      格助詞
排出    名詞        排出    サ変接続
する    動詞  基本形  する  自立
送風    名詞        送風    サ変接続
手段    名詞        手段    一般
と      助詞        と      並立助詞
、      記号        、      読点
ＮＥＷＬＩＮＥ
エア    名詞        エア    一般
を      助詞        を      格助詞
清浄    名詞        清浄    サ変接続
化      名詞        化      接尾
する    動詞  基本形  する  自立
清浄    名詞        清浄    サ変接続
化      名詞        化      接尾
手段    名詞        手段    一般
と      助詞        と      並立助詞
、      記号        、      読点
を備え、    ＣＯＭＰＯＳＥ＿Ｒ＿ＣＵＥ
ＮＥＷＬＩＮＥ
前記    名詞        前記    サ変接続
ダクト  名詞        ダクト  一般
は      助詞        は      係助詞
内部    名詞        内部    一般
ダクト  名詞        ダクト  一般
を有し、    ＣＯＭＰＯＳＥ＿Ｒ＿ＣＵＥ
ＮＥＷＬＩＮＥ
前記    名詞        前記    サ変接続
清浄    名詞        清浄    サ変接続
化      名詞        化      接尾
手段    名詞        手段    一般
は      助詞        は      係助詞
、      記号        、      読点
前記    名詞        前記    サ変接続
内部    名詞        内部    一般
ダクト  名詞        ダクト  一般
内      名詞        内      接尾
に      助詞        に      格助詞
設置    名詞        設置    サ変接続
さ      動詞  未然レル接続  する  自立
れ      動詞  連用形  れる  接尾
て      助詞        て      接続助詞
いる    動詞  基本形  いる  非自立
、      記号        、      読点
ことを特徴とする    ＦＥＡＴＵＲＥ＿Ｋ＿ＣＵＥ
画像    名詞        画像    一般
形成    名詞        形成    サ変接続
装置    名詞        装置    サ変接続
。      記号        。      句点
【００７０】
その後、文節特定部１３は、各形態素の「品詞文字列」、「活用形」、「２階層目の品詞」の情報と、図示しない記録媒体で記憶されている図５Ａ，図５Ｂで示される状態遷移表を用いて、文節の区切位置を特定する（ステップＳ１０３）。なお、その際に、文節特定部１３は、トークンの付与されている箇所については、その文節の区切位置の特定を行わないものとする。したがって、トークンの付与された箇所、及びそれに隣接する箇所については、文法上の文節の区切とは異なる場合もありうる。なお、この具体例では、文節特定部１３は、文節の区切位置の直前の形態素に対して、区切の前であることを示す情報を付与するものとする。文節特定部１３による文節の区切位置の特定の結果は、次の通りである。その結果において、文節の区切位置の直前の形態素には、区切の前であることを示す情報「◎」が付与されている。また、文節特定部１３が特定した文節の区切位置を示す情報も、記憶部１１で記憶されることになる。
【００７１】
［文節の区切位置の特定結果］
画像    名詞        画像    一般
形成    名詞        形成    サ変接続
装置    名詞        装置    サ変接続  ◎
において、    ＪＥＰＳＯＮ＿ＣＵＥ  ◎
ＮＥＷＬＩＮＥ
外部    名詞        外部    一般
に      助詞        に      格助詞  ◎
接続    名詞        接続    サ変接続
さ      動詞  未然レル接続  する  自立
れる    動詞  基本形  れる  接尾  ◎
ダクト  名詞        ダクト  一般
と      助詞        と      並立助詞
、      記号        、      読点  ◎
ＮＥＷＬＩＮＥ
エア    名詞        エア    一般
を      助詞        を      格助詞  ◎
排出    名詞        排出    サ変接続
する    動詞  基本形  する  自立  ◎
送風    名詞        送風    サ変接続
手段    名詞        手段    一般
と      助詞        と      並立助詞
、      記号        、      読点  ◎
ＮＥＷＬＩＮＥ
エア    名詞        エア    一般
を      助詞        を      格助詞  ◎
清浄    名詞        清浄    サ変接続
化      名詞        化      接尾  ◎
する    動詞  基本形  する  自立  ◎
清浄    名詞        清浄    サ変接続
化      名詞        化      接尾
手段    名詞        手段    一般
と      助詞        と      並立助詞
、      記号        、      読点  ◎
を備え、    ＣＯＭＰＯＳＥ＿Ｒ＿ＣＵＥ  ◎
ＮＥＷＬＩＮＥ
前記    名詞        前記    サ変接続
ダクト  名詞        ダクト  一般
は      助詞        は      係助詞  ◎
内部    名詞        内部    一般
ダクト  名詞        ダクト  一般  ◎
を有し、    ＣＯＭＰＯＳＥ＿Ｒ＿ＣＵＥ  ◎
ＮＥＷＬＩＮＥ
前記    名詞        前記    サ変接続
清浄    名詞        清浄    サ変接続
化      名詞        化      接尾
手段    名詞        手段    一般
は      助詞        は      係助詞
、      記号        、      読点  ◎
前記    名詞        前記    サ変接続
内部    名詞        内部    一般
ダクト  名詞        ダクト  一般
内      名詞        内      接尾
に      助詞        に      格助詞  ◎
設置    名詞        設置    サ変接続
さ      動詞  未然レル接続  する  自立
れ      動詞  連用形  れる  接尾
て      助詞        て      接続助詞
いる    動詞  基本形  いる  非自立
、      記号        、      読点  ◎
ことを特徴とする    ＦＥＡＴＵＲＥ＿Ｋ＿ＣＵＥ  ◎
画像    名詞        画像    一般
形成    名詞        形成    サ変接続
装置    名詞        装置    サ変接続
。      記号        。      句点  ◎
【００７２】
次に、区切文節タイプ付与部１７は、文節タイプ対応情報記憶部１６で記憶されている図４で示される文節タイプ対応情報を用いて、文節の区切位置の特定結果に対して、文節タイプを付与する（ステップＳ１０４）。その際に、区切文節タイプ付与部１７は、文節の末尾の形態素から１個以上の形態素を用いて、文節タイプの付与を行う。具体的には、区切文節タイプ付与部１７は、品詞の手がかり情報に該当する文節を検索し、ヒットした文節に対して、その品詞の手がかり情報に対応する文節タイプを付与する。なお、この文節タイプの付与の後は、形態素解析の結果を用いないため、形態素解析の結果のうち、見出し（表層）以外の情報を消去してもよい。また、この文節タイプの付与の結果も、記憶部１１で記憶されることになる。この場合には、文節タイプ「ＮＰ」や「ＰＰ」、「ＶＰＫ」等が付与されている。
【００７３】
［文節タイプの付与の結果］
画像形成装置      ＮＰ
において、      ＪＥＰＳＯＮ＿ＣＵＥ
ＮＥＷＬＩＮＥ
外部に      ＰＰ
接続される      ＶＰＫ
ダクトと、      ＮＰＴ＿Ｐ
ＮＥＷＬＩＮＥ
エアを      ＮＰＯ
排出する      ＶＰＫ
送風手段と、      ＮＰＴ＿Ｐ
ＮＥＷＬＩＮＥ
エアを      ＮＰＯ
清浄化      ＮＰ
する      ＶＰＫ
清浄化手段と、      ＮＰＴ＿Ｐ
を備え、      ＣＯＭＰＯＳＥ＿Ｒ＿ＣＵＥ
ＮＥＷＬＩＮＥ
前記ダクトは      ＰＰ
内部ダクト      ＮＰ
を有し、      ＣＯＭＰＯＳＥ＿Ｒ＿ＣＵＥ
ＮＥＷＬＩＮＥ
前記清浄化手段は、      ＰＰ
前記内部ダクト内に      ＰＰ
設置されている、      ＶＰＫ＿Ｐ
ことを特徴とする      ＦＥＡＴＵＲＥ＿Ｋ＿ＣＵＥ
画像形成装置。      ＮＰ
【００７４】
この後、区切文節タイプ変更部１８は、文節タイプの変更を行う（ステップＳ１０５）。その変更の具体的な方法は、次の通りである。なお、その方法の説明において、「名詞まとまり」とは名詞の連続である。その「名詞まとまり」は、文節タイプ「ＮＰ」の付与された文節であってもよく、文節タイプ「ＮＰＴ」、「ＮＰＴ＿Ｐ」等の付与された文節に含まれる名詞の連続であってもよい。また、以下の説明において、トークンや文節タイプの付与された文節を、説明の便宜上、そのトークンや文節タイプそのもので表している。例えば、「ＶＰＲ＿Ｐ」は、厳密には、「ＶＰＲ＿Ｐの付与された文節」の意味である。
【００７５】
［文節タイプの変更の説明］
１．ＪＥＰＳＯＮ＿ＣＵＥが存在する場合は、以下の処理を行う。
（１）前半部（すなわち、特許請求項の先頭からＪＥＰＳＯＮ＿ＣＵＥの直前までの部分）にＦＥＡＴＵＲＥ＿ＣＵＥ，ＦＥＡＴＵＲＥ＿Ｋ＿ＣＵＥ，ＣＯＭＰＯＳＥ＿Ｋ＿ＣＵＥのいずれかが存在する場合には、次の処理Ａ、処理Ｂ、処理Ｃを行う。
（処理Ａ）最後に出現したＦＥＡＴＵＲＥ＿ＣＵＥ，ＦＥＡＴＵＲＥ＿Ｋ＿ＣＵＥ，またはＣＯＭＰＯＳＥ＿Ｋ＿ＣＵＥ以降の文節タイプをすべてＨＰに置き換える。
（処理Ｂ）ＣＯＭＰＯＳＥ＿Ｋ＿ＣＵＥ，ＦＥＡＴＵＲＥ＿ＣＵＥの直前の「名詞まとまり」より前の部分、またはＦＥＡＴＵＲＥ＿Ｋ＿ＣＵＥより前の部分で、ＶＰＲ＿Ｐ，ＮＰＴ＿Ｐ，ＣＯＭＰＯＳＥ＿Ｒ＿ＣＵＥ，または処理範囲（例えば、前半部の処理を行っている場合には前半部、後半部の処理を行っている場合には後半部、全体の処理を行っている場合には全体）の先頭のいずれかに遭遇するまでの間において、「名詞まとまり」の直前にＶＰＫもしくはＶＰＫ＿Ｐが存在していた場合、またはＦＥＡＴＵＲＥ＿Ｋ＿ＣＵＥ直前にＶＰＫもしくはＶＰＫ＿Ｐが存在していた場合には、「名詞まとまり」の直前のＶＰＫもしくはＶＰＫ＿Ｐ以外と、ＦＥＡＴＵＲＥ＿Ｋ＿ＣＵＥの直前のＶＰＫもしくはＶＰＫ＿Ｐ以外について、ＶＰＫ＊と、ＮＰ＊をすべてＰＰに置き換える。
（処理Ｃ）処理Ｂにおいて、ＶＰＲ＿Ｐに遭遇した場合は、この処理を繰り返す。処理Ｂにおいて、ＮＰＴ＿Ｐに遭遇した場合は、それを含む「名詞まとまり」より前の部分で、この処理を繰り返す。処理Ｂにおいて、ＣＯＭＰＯＳＥ＿Ｒ＿ＣＵＥに遭遇した場合は、その直前の「名詞まとまり」より前の部分でこの処理を繰り返す。処理Ｂにおいて、処理範囲の先頭に遭遇した場合は、この処理を終了する。
（２）前半部に、ＦＥＡＴＵＲＥ＿ＣＵＥ，ＦＥＡＴＵＲＥ＿Ｋ＿ＣＵＥ，ＣＯＭＰＯＳＥ＿Ｋ＿ＣＵＥのいずれも存在しない場合には、次の処理Ｄ、処理Ｅ、処理Ｆを行う。
（処理Ｄ）ＪＥＰＳＯＮ＿ＣＵＥの直前の「名詞まとまり」を認識し、それを構成する文節タイプをすべてＨＰに変更する。
（処理Ｅ）ＨＰより前の部分で、ＶＰＲ＿Ｐ，ＮＰＴ＿Ｐ，ＣＯＭＰＯＳＥ＿Ｒ＿ＣＵＥ，または処理範囲の先頭のいずれかに遭遇するまでの間において、ＨＰの直前にＶＰＫもしくはＶＰＫ＿Ｐが存在していた場合には、ＨＰの直前のＶＰＫもしくはＶＰＫ＿Ｐ以外について、ＶＰＫ＊と、ＮＰ＊をすべてＰＰに置き換える。
（処理Ｆ）処理Ｅにおいて、ＶＰＲ＿Ｐに遭遇した場合は、この処理を繰り返す。処理Ｅにおいて、ＮＰＴ＿Ｐに遭遇した場合は、それを含む「名詞まとまり」より前の部分で、この処理を繰り返す。処理Ｅにおいて、ＣＯＭＰＯＳＥ＿Ｒ＿ＣＵＥに遭遇した場合は、その直前の「名詞まとまり」より前の部分でこの処理を繰り返す。処理Ｅにおいて、処理範囲の先頭に遭遇した場合は、この処理を終了する。
（３）前半部にＮＥＷＬＩＮＥが存在する場合には、次の処理Ｇを行う。
（処理Ｇ）ＮＥＷＬＩＮＥが後続するＶＰＫをＶＰＫ＿Ｐに変更し、ＮＥＷＬＩＮＥが後続するＶＰＲをＶＰＲ＿Ｐに変更し、ＮＥＷＬＩＮＥが後続しないＶＰＲ＿ＰをＶＰＲに変更し、ＮＥＷＬＩＮＥが後続しないＶＰＫ＿ＰをＶＰＫに変更する。
（４）後半部（すなわち、ＪＥＰＳＯＮ＿ＣＵＥの直後から特許請求項の終端までの部分）にＦＥＡＴＵＲＥ＿ＣＵＥ，ＦＥＡＴＵＲＥ＿Ｋ＿ＣＵＥ，ＣＯＭＰＯＳＥ＿Ｋ＿ＣＵＥのいずれかが存在する場合には、次の処理Ｈ，処理Ｉ、処理Ｊを行う。
（処理Ｈ）最後に出現したもの以降の文節タイプをすべてＢＰに置き換える。いずれも存在しない場合は、末尾の「名詞まとまり」を認識し、それを構成する文節タイプをすべてＢＰに置き換える。
（処理Ｉ）上記処理Ｂと同じ処理である。
（処理Ｊ）上記処理Ｃと同じ処理である。
（５）後半部に、ＦＥＡＴＵＲＥ＿ＣＵＥ，ＦＥＡＴＵＲＥ＿Ｋ＿ＣＵＥ，ＣＯＭＰＯＳＥ＿Ｋ＿ＣＵＥのいずれも存在しない場合には、次の処理Ｋ、処理Ｌ、処理Ｍを行う。
（処理Ｋ）末尾の「名詞まとまり」を認識し、それを構成する文節タイプをすべてＢＰに変更する。
（処理Ｌ）上記処理Ｅにおいて、ＨＰをＢＰに置き換えた処理を行う。
（処理Ｍ）上記処理Ｆにおいて、ＨＰをＢＰに置き換えた処理を行う。
（６）後半部にＮＥＷＬＩＮＥが存在する場合には、上記処理Ｇを行う。
２．ＪＥＰＳＯＮ＿ＣＵＥが存在しない場合は、上記（４）〜（６）において後半部において行った処理を、特許請求項の全体に対して１回行う。
３．ＣＯＭＰＯＳＥ＿Ｋ＿ＣＵＥ、ＣＯＭＰＯＳＥ＿Ｒ＿ＣＵＥの直前のＮＰＴをＮＰＴ＿Ｐに変更し、ＣＯＭＰＯＳＥ＿Ｋ＿ＣＵＥ、ＣＯＭＰＯＳＥ＿Ｒ＿ＣＵＥの直前のＮＰをＮＰＴ＿Ｐに変更する。
４．ＮＥＷＬＩＮＥを除去する。
【００７６】
なお、上記の文節タイプの変更の説明において、処理Ｂや処理Ｅにおいて、ＶＰＫ＿Ｐ（終端区切文節タイプ）を、ＰＰに置き換える処理が、終端区切文節タイプ（ＶＰＫ＿Ｐ）と、継続区切文節タイプ（ＶＰＲ＿Ｐ，ＮＰＴ＿Ｐ）との間に存在する終端区切文節タイプ（ＶＰＫ＿Ｐ）を削除する処理に対応する。また、処理Ｇにおいて、ＮＥＷＬＩＮＥが後続しないＶＰＲ＿ＰをＶＰＲに変更し、ＮＥＷＬＩＮＥが後続しないＶＰＫ＿ＰをＶＰＫに変更する処理が、改行が存在する場合であって、改行が後続しない動詞に関する区切文節タイプ（ＶＰＲ＿Ｐ，ＶＰＫ＿Ｐ）が存在する場合に、その区切文節タイプを削除する処理に対応する。
上記のようにして区切文節タイプ変更部１８が変更した後の文節タイプは、次のようになる。
【００７７】
［文節タイプの変更の結果］
画像形成装置      ＨＰ
において、      ＪＥＰＳＯＮ＿ＣＵＥ
外部に      ＰＰ
接続される      ＶＰＫ
ダクトと、      ＮＰＴ＿Ｐ
エアを      ＰＰ
排出する      ＶＰＫ
送風手段と、      ＮＰＴ＿Ｐ
エアを      ＰＰ
清浄化      ＰＰ
する      ＶＰＫ
清浄化手段と、      ＮＰＴ＿Ｐ
を備え、      ＣＯＭＰＯＳＥ＿Ｒ＿ＣＵＥ
前記ダクトは      ＰＰ
内部ダクト      ＮＰＴ＿Ｐ
を有し、      ＣＯＭＰＯＳＥ＿Ｒ＿ＣＵＥ
前記清浄化手段は、      ＰＰ
前記内部ダクト内に      ＰＰ
設置されている、      ＶＰＫ＿Ｐ
ことを特徴とする      ＦＥＡＴＵＲＥ＿Ｋ＿ＣＵＥ
画像形成装置。      ＢＰ
【００７８】
その後、生成部１９は、トークンと文節タイプとの付与された特許請求項情報から、請求項構造情報を生成する（ステップＳ１０６）。その生成において、この具体例では、その生成において、図６で示される文法ファイルを用いて、パーサジェネレータによって生成されたパーサ（構文解析器）を用いて、請求項構造情報を生成するものとする。なお、その図６の文法ファイルは、パーサジェネレータであるＢｉｓｏｎ互換のＰｅｒｌ用ツールであるＰａｒｓｅ：：Ｙａｐｐ（Ｆｒａｎｃｏｉｓ  Ｄｅｓａｒｍｅｎｉｅｎ，Ｐａｒｓｅ−Ｙａｐｐ−１．０５、ｈｔｔｐ：／／ｓｅａｒｃｈ．ｃｐａｎ．ｏｒｇ／ｄｉｓｔ／Ｐａｒｓｅ−Ｙａｐｐ／）用の記述例である。特許請求項の記述は、通常、終端に定型的な表現が存在し、終端から先頭への方向で構造が確定することを考慮し、その文脈自由文法で記述した規則は、終端から先頭への方向で記述した。図６では、＄ｒｅｔｖａｌという変数に、生成されたＸＭＬが文字列として格納される。図６で示される文法ファイルから生成されたパーサに、上記文節タイプの変更の結果を取り込むと、図７のＸＭＬファイルで示される請求項構造情報が生成される。なお、その際、文脈自由文法から生成されたパーサには、文節タイプの変更の結果を、終端から先頭への方向に変換して入力する。また、ＸＭＬの構造としては、前述したＰＭＬを使用した。
【００７９】
出力部２０は、図７の請求項構造情報を読み込んでディスプレイに表示する。その結果、図８で示される、請求項構造情報に応じた記述断片の関係を示す表示が行われる（ステップＳ１０７）。この表示を見ることによって、ユーザは、特許請求項の構造を容易に把握することができるようになる。なお、図７で示されるＸＭＬファイルから、図８で示される表示を生成する際にも、構文解析器（パーサ）が用いられてもよい。このパーサは、マークアップ言語で記述された構造を表示する公知のパーサである。
【００８０】
ここで、上記の文節タイプの変更の結果から、記述断片の間の係り受けを示す請求項構造情報を生成する別の処理の具体例について、簡単に説明する。文節タイプの変更の結果において、ＪＥＰＳＯＮ＿ＣＵＥ以外の各トークンと、ＮＰＴ＿Ｐと、ＢＰとは、それだけで一つの記述断片となる。すなわち、ＪＥＰＳＯＮ＿ＣＵＥ以外の各トークンと、ＮＰＴ＿Ｐと、ＢＰとについては、その前後に記述断片の区切位置が来ることになる。また、ＶＰＲ＿Ｐと、ＶＰＫ＿Ｐとは、それらの直前に連続する０個以上のＰＰやＶＰＲ，ＶＰＫを含んで一つの記述断片となる。すなわち、ＶＰＲ＿Ｐと、ＶＰＫ＿Ｐとについては、その後に記述断片の区切位置が来ることになる。また、ＨＰとＪＥＰＳＯＮ＿ＣＵＥとは、両方で一つの記述断片となる。すなわち、「ＨＰ＋ＪＥＰＳＯＮ＿ＣＵＥ」については、その前後に記述断片の区切位置が来ることになる。残った連続する１以上のＰＰやＶＰＲ，ＶＰＫも、一つの記述断片となる。このような、トークン及び区切文節タイプに対応した記述断片の区切位置を示す情報を用いることによって、生成部１９は、記述断片の区切位置を特定することができることになる。そのようにして、文節タイプの変更の結果を記述断片ごとに示し、その記述断片に対して、最後の文節に対応する文節タイプを対応付けた結果は、次のようになる。
【００８１】
画像形成装置において、      ＪＥＰＳＯＮ＿ＣＵＥ
外部に接続される      ＶＰＫ
ダクトと、      ＮＰＴ＿Ｐ
エアを排出する      ＶＰＫ
送風手段と、      ＮＰＴ＿Ｐ
エアを清浄化する      ＶＰＫ
清浄化手段と、      ＮＰＴ＿Ｐ
を備え、      ＣＯＭＰＯＳＥ＿Ｒ＿ＣＵＥ
前記ダクトは      ＰＰ
内部ダクト      ＮＰＴ＿Ｐ
を有し、      ＣＯＭＰＯＳＥ＿Ｒ＿ＣＵＥ
前記清浄化手段は、前記内部ダクト内に設置されている、      ＶＰＫ＿Ｐ
ことを特徴とする      ＦＥＡＴＵＲＥ＿Ｋ＿ＣＵＥ
画像形成装置。      ＢＰ
【００８２】
また、トークンの付与された記述断片及び区切文節タイプの付与された記述断片の係り受け関係が次のように定められているものとする。前半部と、後半部または全体とに分けて説明する。なお、以下の説明において、トークンの付与された記述断片や、文節タイプの付与された記述断片を、説明の便宜上、そのトークンや文節タイプそのもので表している。例えば、「ＣＯＭＰＯＳＥ＿Ｋ＿ＣＵＥ」は、厳密には、「ＣＯＭＰＯＳＥ＿Ｋ＿ＣＵＥの付与された記述断片」の意味である。
【００８３】
（前半部）
ＣＯＭＰＯＳＥ＿Ｋ＿ＣＵＥは、それよりも後に存在する、それに最も近い、ＪＥＰＳＯＮ＿ＣＵＥ、ＦＥＡＴＵＲＥ＿ＣＵＥ、または、ＦＥＡＴＵＲＥ＿Ｋ＿ＣＵＥに係る。
ＣＯＭＰＯＳＥ＿Ｒ＿ＣＵＥは、それよりも後に存在する、それに最も近い、ＪＥＰＳＯＮ＿ＣＵＥ、ＦＥＡＴＵＲＥ＿ＣＵＥ、または、ＦＥＡＴＵＲＥ＿Ｋ＿ＣＵＥに係る。
ＦＥＡＴＵＲＥ＿ＣＵＥは、ＪＥＰＳＯＮ＿ＣＵＥに係る。
ＦＥＡＴＵＲＥ＿Ｋ＿ＣＵＥは、ＪＥＰＳＯＮ＿ＣＵＥに係る。
ＮＰＴ＿Ｐは、それよりも後に存在する、それに最も近い、ＣＯＭＰＯＳＥ＿Ｋ＿ＣＵＥまたはＣＯＭＰＯＳＥ＿Ｒ＿ＣＵＥに係る。
ＶＰＫは、直後の記述断片に係る。
ＶＰＫ＿Ｐは、直後の記述断片に係る。
ＶＰＲは、それよりも後に存在する、それに最も近い、ＶＰＫ（またはＶＰＫ＿Ｐ）の直後の記述断片に係る。
ＶＰＲ＿Ｐは、それよりも後に存在する、それに最も近い、ＶＰＫ（またはＶＰＫ＿Ｐ）の直後の記述断片に係る。
ＰＰは、直後の記述断片に係る。
（後半部、または全体）
ＪＥＰＳＯＮ＿ＣＵＥは、ＢＰに係る。
ＣＯＭＰＯＳＥ＿Ｋ＿ＣＵＥは、それよりも後に存在する、それに最も近い、ＢＰ、ＦＥＡＴＵＲＥ＿ＣＵＥ、または、ＦＥＡＴＵＲＥ＿Ｋ＿ＣＵＥに係る。
ＣＯＭＰＯＳＥ＿Ｒ＿ＣＵＥは、それよりも後に存在する、それに最も近い、ＢＰ、ＦＥＡＴＵＲＥ＿ＣＵＥ、または、ＦＥＡＴＵＲＥ＿Ｋ＿ＣＵＥに係る。
ＦＥＡＴＵＲＥ＿ＣＵＥは、ＢＰに係る。
ＦＥＡＴＵＲＥ＿Ｋ＿ＣＵＥは、ＢＰに係る。
ＮＰＴ＿Ｐは、それよりも後に存在する、それに最も近い、ＣＯＭＰＯＳＥ＿Ｋ＿ＣＵＥまたはＣＯＭＰＯＳＥ＿Ｒ＿ＣＵＥに係る。
ＶＰＫは、直後の記述断片に係る。
ＶＰＫ＿Ｐは、直後の記述断片に係る。
ＶＰＲは、それよりも後に存在する、それに最も近い、ＶＰＫ（またはＶＰＫ＿Ｐ）の直後の記述断片に係る。
ＶＰＲ＿Ｐは、それよりも後に存在する、それに最も近い、ＶＰＫ（またはＶＰＫ＿Ｐ）の直後の記述断片に係る。
ＰＰは、直後の記述断片に係る。
【００８４】
生成部１９は、あらかじめ規定されているトークンの付与された記述断片及び区切文節タイプの付与された記述断片の係り受け関係の情報（図示しない記録媒体で記憶されていてもよい）を用いることによって、各記述断片の係り受け関係を特定することができる。この例の場合には、各記述断片の係り先を特定することができることになる。これが次で示される請求項構造情報となる。なお、その請求項構造情報において、「記述断片ＩＤ」、「記述断片の文字列」、「記述断片に対応するトークンまたは文節タイプ」、「係り先の記述断片ＩＤ」の順で表示している。
【００８５】
［請求項構造情報］
１    画像形成装置において、  ＪＥＰＳＯＮ＿ＣＵＥ  １４
２    外部に接続される  ＶＰＫ  ３
３    ダクトと、  ＮＰＴ＿Ｐ  ８
４    エアを排出する  ＶＰＫ  ５
５    送風手段と、  ＮＰＴ＿Ｐ  ８
６    エアを清浄化する  ＶＰＫ  ７
７    清浄化手段と、  ＮＰＴ＿Ｐ  ８
８    を備え、  ＣＯＭＰＯＳＥ＿Ｒ＿ＣＵＥ  １３
９    前記ダクトは  ＰＰ  １０
１０  内部ダクト  ＮＰＴ＿Ｐ  １１
１１  を有し、  ＣＯＭＰＯＳＥ＿Ｒ＿ＣＵＥ  １３
１２  前記清浄化手段は、前記内部ダクト内に設置されている、  ＶＰＫ＿Ｐ  １３
１３  ことを特徴とする  ＦＥＡＴＵＲＥ＿Ｋ＿ＣＵＥ  １４
１４  画像形成装置。  ＢＰ
【００８６】
出力部２０が、この請求項構造情報を記述断片の係り受けを示すように表示すると、図８の表示となる。なお、係り受け関係を有する複数の情報を表示する方法としては、例えば、自然言語処理における係り受け関係を表示するソフトウェアや、クレームツリーの表示ソフトウェア等としてすでに知られており、その詳細な説明を省略する。
【００８７】
なお、ＱＵＯＴＥ＿ＣＵＥについては特に言及しなかったが、ＱＵＯＴＥ＿ＣＵＥが存在する場合には、その直前の位置で記述断片の区切位置が存在することになる。また、そのＱＵＯＴＥ＿ＣＵＥを先頭に含む記述断片は、前半部においてはＪＥＰＳＯＮ＿ＣＵＥの記述断片に係り、後半部においては、ＢＰに係ることになる。このようにして、ＱＵＯＴＥ＿ＣＵＥが含まれる場合にも、記述断片への分割と、その係り受け関係の特定とを行うことができるようになる。
【００８８】
以上のように、本実施の形態による請求項構造情報生成装置１によれば、表層の手がかり情報と、品詞の手がかり情報とを用いて、文節単位で記述断片の区切位置を検出するため、より深い構造を持つ特許請求項についても構造解析を適切に行うことができるようになる。特に、品詞の手がかり情報を用いることによって、区切位置となりうるすべての箇所を見つけることができるようになる。なお、そのようにして見つけた区切位置には、本来は区切位置とすべきでない箇所も含まれてしまう場合もある。したがって、区切文節タイプ変更部１８による文節タイプの変更、特に区切文節タイプの削除を行うことによって、そのような適切でない区切位置を削除することによって、本来の記述断片を取得することができるようになる。なお、従来例では、文節よりも細かい形態素単位で記述断片の区切位置の検出等を行っていたため、大まかな解析しかすることができなかった。扱う単位が細かいため、細かい解析を行うことは非常に困難だからである。一方、本実施の形態では、文節単位で記述断片の区切位置の検出等を行うため、従来例よりも細かい解析を行うことができるようになり、その結果、より深い構造を持った請求項についても、適切な解析を行うことができるようになった。このようにして、従来例では図１６の程度にしか解析することができなかったものを、本実施の形態では、図８のように細かく解析することができるようになった。
【００８９】
また、本実施の形態において、従属関係に対応する表層の手がかり情報をも用いることによって、他の請求項に従属する請求項についても、その構造を適切に解析することができ、その請求項に対応した請求項構造情報を生成することができる。
【００９０】
なお、本実施の形態による請求項構造情報生成装置１において、構成要素の親子関係に関する構造の解析をさらに行ってもよい。この場合には、区切文節タイプに、前述の構成要素の包含関係を示すトークンに対して、親の構成要素に応じた区切文節タイプである親区切文節タイプと、構成要素の包含関係を示すトークンに対して、子の構成要素に応じた区切文節タイプである子区切文節タイプと、が存在するものとする。構成要素の包含関係を示すトークンは、例えば、既出のＣＯＭＰＯＳＥ＿Ｋ＿ＣＵＥやＣＯＭＰＯＳＥ＿Ｒ＿ＣＵＥである。また、親区切文節タイプは、例えば、既出のＨＰやＢＰ、ここで定義するＮＰＨ、ＮＰＨ＿Ｐ等である。また、子区切文節タイプは、例えば、既出のＮＰＴ＿Ｐである。
【００９１】
文節タイプ対応情報において、区切文節タイプＮＰＨ、ＮＰＨ＿Ｐに対応する品詞の手がかり情報は、例えば、次のようになる。
ＮＰＨ：Ｘ＋助詞「は」
ＮＰＨ＿Ｐ：Ｘ＋助詞「は」＋「記号−読点（「、」または「，」）」
すなわち、例えば、前述の具体例の場合には、「前記ダクトは」がＮＰＨとなる。
【００９２】
このような場合において、出力部２０は、親区切文節タイプに対応する記述断片と、子区切文節タイプに対応する記述断片との親子関係が分かるように両記述断片を表示してもよい。例えば、出力部２０は、親区切文節タイプに対応する記述断片と、子区切文節タイプに対応する記述断片とを線で結んで表示してもよい。なお、その親区切文節タイプに対応する記述断片と、子区切文節タイプに対応する記述断片との間に、構成要素の包含関係に関する記述断片が存在してもよい。すなわち、親区切文節タイプに対応する記述断片と、子区切文節タイプに対応する記述断片とは、構成要素の包含関係に関する記述断片を介して線で結ばれてもよい。また、出力部２０は、結果としてそのような表示を行えばよく、例えば、親区切文節タイプに対応する記述断片と、子区切文節タイプに対応する記述断片とが直接的にまたは間接的に係り受け関係にあることを示す請求項構造情報が生成されている場合には、それを本実施の形態で説明したように表示するだけであってもよい。
【００９３】
ここで、具体例を用いて説明する。
（α）文節タイプの変更の際には、前述の具体例の変更を行うと共に、その変更の後に、次の処理を行うものとする。
（β）ＮＰＨの後に、ＣＯＭＰＯＳＥ＿Ｋ＿ＣＵＥまたはＣＯＭＰＯＳＥ＿Ｒ＿ＣＵＥが存在しない場合には、ＮＰＨをＰＰに変更する。
（γ）ＮＰＨと、それよりも後に存在する、それに最も近い、ＣＯＭＰＯＳＥ＿Ｋ＿ＣＵＥまたはＣＯＭＰＯＳＥ＿Ｒ＿ＣＵＥとの間に、ＮＰＴ＿Ｐが存在しない場合には、ＮＰＨをＰＰに変更する。
（δ）ＮＰＨと、それよりも後に存在する、それに最も近い、ＮＰＴ＿Ｐとの間に、ＶＰＲ＿Ｐが存在する場合には、ＮＰＨを、ＰＰに変更する。
（ε）ＮＰＨ＿Ｐについても、ＮＰＨをＮＰＨ＿Ｐに置き換えて、上記（β）〜（δ）の処理を行う。
【００９４】
上記（α）〜（δ）の処理を行うことによって、文節タイプの変更の結果は次のようになる。
［文節タイプの変更の結果］
画像形成装置      ＨＰ
において、      ＪＥＰＳＯＮ＿ＣＵＥ
外部に      ＰＰ
接続される      ＶＰＫ
ダクトと、      ＮＰＴ＿Ｐ
エアを      ＰＰ
排出する      ＶＰＫ
送風手段と、      ＮＰＴ＿Ｐ
エアを      ＰＰ
清浄化      ＰＰ
する      ＶＰＫ
清浄化手段と、      ＮＰＴ＿Ｐ
を備え、      ＣＯＭＰＯＳＥ＿Ｒ＿ＣＵＥ
前記ダクトは      ＮＰＨ
内部ダクト      ＮＰＴ＿Ｐ
を有し、      ＣＯＭＰＯＳＥ＿Ｒ＿ＣＵＥ
前記清浄化手段は、      ＰＰ
前記内部ダクト内に      ＰＰ
設置されている、      ＶＰＫ＿Ｐ
ことを特徴とする      ＦＥＡＴＵＲＥ＿Ｋ＿ＣＵＥ
画像形成装置。      ＢＰ
【００９５】
次に、記述断片の区切位置の特定の際には、ＮＰＨ、ＮＰＨ＿Ｐも一つの記述断片になるとする。すなわち、ＮＰＨと、ＮＰＨ＿Ｐとについては、その前後に記述断片の区切位置が来ることになる。また、あらかじめ規定されている係り受け関係に、次のＮＰＨ、ＮＰＨ＿Ｐの係り先の関係を追加し、ＣＯＭＰＯＳＥ＿Ｋ＿ＣＵＥまたはＣＯＭＰＯＳＥ＿Ｒ＿ＣＵＥの係り先の関係を次のように変更する。
【００９６】
（前半部）
（追加）ＮＰＨは、それよりも後に存在する、それに最も近い、ＪＥＰＳＯＮ＿ＣＵＥ、ＦＥＡＴＵＲＥ＿ＣＵＥ、または、ＦＥＡＴＵＲＥ＿Ｋ＿ＣＵＥに係る。
（追加）ＮＰＨ＿Ｐは、それよりも後に存在する、それに最も近い、ＪＥＰＳＯＮ＿ＣＵＥ、ＦＥＡＴＵＲＥ＿ＣＵＥ、または、ＦＥＡＴＵＲＥ＿Ｋ＿ＣＵＥに係る。
（変更）ＣＯＭＰＯＳＥ＿Ｋ＿ＣＵＥは、それよりも前にＮＰＨまたはＮＰＨ＿Ｐが存在する場合には、そのＣＯＭＰＯＳＥ＿Ｋ＿ＣＵＥよりも前に存在する、それに最も近いＮＰＨまたはＮＰＨ＿Ｐに係り、そのＣＯＭＰＯＳＥ＿Ｋ＿ＣＵＥよりも前にＮＰＨ及びＮＰＨ＿Ｐが存在しない場合には、そのＣＯＭＰＯＳＥ＿Ｋ＿ＣＵＥよりも後に存在する、それに最も近い、ＪＥＰＳＯＮ＿ＣＵＥ、ＦＥＡＴＵＲＥ＿ＣＵＥ、または、ＦＥＡＴＵＲＥ＿Ｋ＿ＣＵＥに係る。
（変更）ＣＯＭＰＯＳＥ＿Ｒ＿ＣＵＥは、それよりも前にＮＰＨまたはＮＰＨ＿Ｐが存在する場合には、そのＣＯＭＰＯＳＥ＿Ｒ＿ＣＵＥよりも前に存在する、それに最も近いＮＰＨまたはＮＰＨ＿Ｐに係り、そのＣＯＭＰＯＳＥ＿Ｒ＿ＣＵＥよりも前にＮＰＨ及びＮＰＨ＿Ｐが存在しない場合には、そのＣＯＭＰＯＳＥ＿Ｒ＿ＣＵＥよりも後に存在する、それに最も近い、ＪＥＰＳＯＮ＿ＣＵＥ、ＦＥＡＴＵＲＥ＿ＣＵＥ、または、ＦＥＡＴＵＲＥ＿Ｋ＿ＣＵＥに係る。
（後半部、または全体）
（追加）ＮＰＨは、それよりも後に存在する、それに最も近い、ＢＰ、ＦＥＡＴＵＲＥ＿ＣＵＥ、または、ＦＥＡＴＵＲＥ＿Ｋ＿ＣＵＥに係る。
（追加）ＮＰＨ＿Ｐは、それよりも後に存在する、それに最も近い、ＢＰ、ＦＥＡＴＵＲＥ＿ＣＵＥ、または、ＦＥＡＴＵＲＥ＿Ｋ＿ＣＵＥに係る。
（変更）ＣＯＭＰＯＳＥ＿Ｋ＿ＣＵＥは、それよりも前にＮＰＨまたはＮＰＨ＿Ｐが存在する場合には、そのＣＯＭＰＯＳＥ＿Ｋ＿ＣＵＥよりも前に存在する、それに最も近いＮＰＨまたはＮＰＨ＿Ｐに係り、そのＣＯＭＰＯＳＥ＿Ｋ＿ＣＵＥよりも前にＮＰＨ及びＮＰＨ＿Ｐが存在しない場合には、そのＣＯＭＰＯＳＥ＿Ｋ＿ＣＵＥよりも後に存在する、それに最も近い、ＢＰ、ＦＥＡＴＵＲＥ＿ＣＵＥ、または、ＦＥＡＴＵＲＥ＿Ｋ＿ＣＵＥに係る。
（変更）ＣＯＭＰＯＳＥ＿Ｒ＿ＣＵＥは、それよりも前にＮＰＨまたはＮＰＨ＿Ｐが存在する場合には、そのＣＯＭＰＯＳＥ＿Ｒ＿ＣＵＥよりも前に存在する、それに最も近いＮＰＨまたはＮＰＨ＿Ｐに係り、そのＣＯＭＰＯＳＥ＿Ｒ＿ＣＵＥよりも前にＮＰＨ及びＮＰＨ＿Ｐが存在しない場合には、そのＣＯＭＰＯＳＥ＿Ｒ＿ＣＵＥよりも後に存在する、それに最も近い、ＢＰ、ＦＥＡＴＵＲＥ＿ＣＵＥ、または、ＦＥＡＴＵＲＥ＿Ｋ＿ＣＵＥに係る。
【００９７】
このような係り受け関係に応じて請求項構造情報を生成すると、次のようになる。
［請求項構造情報］
１    画像形成装置において、  ＪＥＰＳＯＮ＿ＣＵＥ  １４
２    外部に接続される  ＶＰＫ  ３
３    ダクトと、  ＮＰＴ＿Ｐ  ８
４    エアを排出する  ＶＰＫ  ５
５    送風手段と、  ＮＰＴ＿Ｐ  ８
６    エアを清浄化する  ＶＰＫ  ７
７    清浄化手段と、  ＮＰＴ＿Ｐ  ８
８    を備え、  ＣＯＭＰＯＳＥ＿Ｒ＿ＣＵＥ  １３
９    前記ダクトは  ＮＰＨ  １３
１０  内部ダクト  ＮＰＴ＿Ｐ  １１
１１  を有し、  ＣＯＭＰＯＳＥ＿Ｒ＿ＣＵＥ  ９
１２  前記清浄化手段は、前記内部ダクト内に設置されている、  ＶＰＫ＿Ｐ  １３
１３  ことを特徴とする  ＦＥＡＴＵＲＥ＿Ｋ＿ＣＵＥ  １４
１４  画像形成装置。  ＢＰ
【００９８】
また、出力部２０が、この請求項構造情報を表示すると、例えば、図９で示されるようになる。図９では、親子関係のある構成要素の記述断片が、「を備え、」や「ことを特徴とする」、または、「を有し、」を介して、接続されることになる。例えば、「ダクトと、」、「送風手段と、」、「清浄化手段と、」が、「を備え、」等を介して「画像形成装置。」に接続されていることによって、「画像形成装置。」が、「ダクトと、」、「送風手段と、」、「清浄化手段と、」を構成要素として有することが分かる。また、「内部ダクト」が、「を有し、」を介して「前記ダクトは」に接続されていることによって、「前記ダクトは」が、「内部ダクト」を構成要素として有することが分かる。
【００９９】
なお、出力部２０は、構成要素に関する複数の記述断片のうち、語幹が同じものを共通化して表示してもよい。記述断片の語幹とは、末尾の句読点や助詞、または、先頭の「前記」、「上記」、「当該」、「該」、「その」等の、既出のものを示す接頭語を記述断片から除去した部分である。したがって、「前記ダクトは」と、「ダクトと、」とは、語幹「ダクト」が共通することになる。その共通化する場合に、語幹が共通する複数の記述断片のうち、先頭の記述断片に他の記述断片を統合してもよく、または、ＣＯＭＰＯＳＥ＿Ｋ＿ＣＵＥもしくはＣＯＭＰＯＳＥ＿Ｒ＿ＣＵＥに係る記述断片に他の記述断片を統合してもよい。その結果、例えば、図１０で示される表示がなされる。ここでは、出力部２０がそのような出力を行う場合について説明したが、生成部１９が、そのような請求項構造情報を生成してもよい。例えば、前述の例の場合には、請求項構造情報において、構成要素に関する記述断片は、ＮＰＴ＿Ｐ、ＮＰＨ、ＮＰＨ＿Ｐであるため、それらの語幹が共通するかどうか判断する。この場合には、「ダクトと、」、「前記ダクトは」の語幹が共通すると判断される。その結果、２番目以降の記述断片「前記ダクトは」に係る記述断片「を有し、」の係り先を、１番目の記述断片「ダクトと、」に変更すると共に、２番目以降の記述断片「前記ダクトは」を削除すればよいことになる。その結果、請求項構造情報が、次のようになる。
【０１００】
［請求項構造情報］
１    画像形成装置において、  ＪＥＰＳＯＮ＿ＣＵＥ  １４
２    外部に接続される  ＶＰＫ  ３
３    ダクトと、  ＮＰＴ＿Ｐ  ８
４    エアを排出する  ＶＰＫ  ５
５    送風手段と、  ＮＰＴ＿Ｐ  ８
６    エアを清浄化する  ＶＰＫ  ７
７    清浄化手段と、  ＮＰＴ＿Ｐ  ８
８    を備え、  ＣＯＭＰＯＳＥ＿Ｒ＿ＣＵＥ  １３
１０  内部ダクト  ＮＰＴ＿Ｐ  １１
１１  を有し、  ＣＯＭＰＯＳＥ＿Ｒ＿ＣＵＥ  ３
１２  前記清浄化手段は、前記内部ダクト内に設置されている、  ＶＰＫ＿Ｐ  １３
１３  ことを特徴とする  ＦＥＡＴＵＲＥ＿Ｋ＿ＣＵＥ  １４
１４  画像形成装置。  ＢＰ
【０１０１】
この例では、一つの請求項において、語幹の共通する、構成要素に関する記述断片をまとめる場合について説明したが、従属関係にある請求項において、そのことを行ってもよい。例えば、上記例の請求項に従属する請求項において、「……前記送風手段は、羽根と、前記羽根を回転させるモータとを備え、……」という記載があった場合に、上記例の請求項における記述断片「送風手段と、」に対して、記述断片「羽根と、」、「モータと」が係るように表示してもよい。
【０１０２】
なお、本実施の形態による請求項構造情報生成装置１において、親区切文節タイプや、子区切文節タイプを用いて、構成要素の親子関係を取得するようにしてもよい。その場合には、請求項構造情報生成装置１は、図１１で示されるように、親子関係取得部２１と、階層レベル取得部２２とをさらに備えてもよい。
【０１０３】
親子関係取得部２１は、親区切文節タイプと子区切文節タイプとの付与された特許請求項情報を用いて、構成要素の親子関係を取得する。具体的には、ある構成要素の包含関係を示すトークンに対する親区切文節タイプに対応する文節の構成要素は、親の構成要素であり、その同じトークンに対する子区切文節タイプに対応する文節の構成要素は、子の構成要素である。したがって、その構成要素の包含関係を示すトークンを介在させることによって、構成要素の親子関係を取得することができる。その親子関係は、例えば、親である画像形成装置に対応する子が、ダクト、送風手段、清浄化手段であることを示す情報であってもよい。この例のように、説明の便宜上、装置なども構成要素と呼ぶことにする。また、記述断片から構成要素を特定する方法は、前述の語幹を特定する方法と同様であり、その説明を省略する。その親子関係を示す情報は、図示しない記録媒体において記憶されてもよい。
【０１０４】
階層レベル取得部２２は、親子関係取得部２１が取得した構成要素の親子関係を用いて、構成要素の階層レベルを取得する。親子関係から階層レベルを取得する方法は公知であるが、その一例を簡単に説明しておく。なお、ここでは、最も高い階層レベル（それに対する親の存在しない階層レベル）を「１」として、階層が深くなるほど、階層レベルの値が大きくなるものとする。まず、親子関係から、すべての構成要素を取得し、ユニーク処理を行う。そして、各構成要素のうち、親のない構成要素に対して、階層レベル１を付与する。その階層レベル１の構成要素を親に持つすべての構成要素に対して、階層レベル２を付与する。このように、階層レベルＮの構成要素を親に持つすべての構成要素に対して、階層レベル（Ｎ＋１）を付与する処理を、階層レベルの付与されていない構成要素がなくなるまで継続する。その結果、すべての構成要素の階層レベルを知ることができるようになる。その構成要素ごとの階層レベルを示す情報は、図示しない記録媒体において記憶されてもよい。
【０１０５】
また、出力部２０は、階層レベル取得部２２が取得した階層レベルに応じて、親区切文節タイプ及び子区切文節タイプに対応する記述断片を表示してもよい。「階層レベルに応じて記述断片を表示する」とは、例えば、階層レベルを示す数値等を、記述断片に対応付けて表示することであってもよく、あるいは、階層レベルに応じた表示位置（例えば、階層レベルが高いほど左（または上）に表示され、階層レベルが低いほど右（または下）に表示されてもよい）となるように記述断片を表示することであってもよい。
【０１０６】
ここで、具体例を用いて説明する。
なお、請求項構造情報が生成されるまでの処理は、前述の処理と同様であり、その説明を省略する。その請求項構造情報は、次の通りであるとする。
【０１０７】
［請求項構造情報］
１    画像形成装置において、  ＪＥＰＳＯＮ＿ＣＵＥ  １４
２    外部に接続される  ＶＰＫ  ３
３    ダクトと、  ＮＰＴ＿Ｐ  ８
４    エアを排出する  ＶＰＫ  ５
５    送風手段と、  ＮＰＴ＿Ｐ  ８
６    エアを清浄化する  ＶＰＫ  ７
７    清浄化手段と、  ＮＰＴ＿Ｐ  ８
８    を備え、  ＣＯＭＰＯＳＥ＿Ｒ＿ＣＵＥ  １３
９    前記ダクトは  ＮＰＨ  １３
１０  内部ダクト  ＮＰＴ＿Ｐ  １１
１１  を有し、  ＣＯＭＰＯＳＥ＿Ｒ＿ＣＵＥ  ９
１２  前記清浄化手段は、前記内部ダクト内に設置されている、  ＶＰＫ＿Ｐ  １３
１３  ことを特徴とする  ＦＥＡＴＵＲＥ＿Ｋ＿ＣＵＥ  １４
１４  画像形成装置。  ＢＰ
【０１０８】
親子関係取得部２１は、ＣＯＭＰＯＳＥ＿Ｋ＿ＣＵＥまたはＣＯＭＰＯＳＥ＿Ｒ＿ＣＵＥごとに、親子関係を取得するものとする。ＣＯＭＰＯＳＥ＿Ｋ＿ＣＵＥまたはＣＯＭＰＯＳＥ＿Ｒ＿ＣＵＥよりも前に、ＮＰＨまたはＮＰＨ＿Ｐが存在する場合には、そのＣＯＭＰＯＳＥ＿Ｋ＿ＣＵＥまたはＣＯＭＰＯＳＥ＿Ｒ＿ＣＵＥに対する親の構成要素として、最も近いＮＰＨまたはＮＰＨ＿Ｐの語幹を取得する。また、そのＣＯＭＰＯＳＥ＿Ｋ＿ＣＵＥまたはＣＯＭＰＯＳＥ＿Ｒ＿ＣＵＥに係るＮＰＴ＿Ｐの語幹を、子の構成要素として取得する。このようにして、親子関係を取得することができる。
【０１０９】
また、ＣＯＭＰＯＳＥ＿Ｋ＿ＣＵＥまたはＣＯＭＰＯＳＥ＿Ｒ＿ＣＵＥよりも前に、ＮＰＨまたはＮＰＨ＿Ｐが存在しない場合には、親子関係取得部２１は、そのＣＯＭＰＯＳＥ＿Ｋ＿ＣＵＥまたはＣＯＭＰＯＳＥ＿Ｒ＿ＣＵＥに対する親の構成要素として、そのＣＯＭＰＯＳＥ＿Ｋ＿ＣＵＥまたはＣＯＭＰＯＳＥ＿Ｒ＿ＣＵＥの係り先の記述断片（他の記述断片を介した係り先の記述断片であってもよい）のうち、最も近いＨＰを含む記述断片（すなわち、そのＨＰを含むＪＥＰＳＯＮ＿ＣＵＥの記述断片）またはＢＰの語幹を取得する。また、親子関係取得部２１は、そのＣＯＭＰＯＳＥ＿Ｋ＿ＣＵＥまたはＣＯＭＰＯＳＥ＿Ｒ＿ＣＵＥに係るＮＰＴ＿Ｐの語幹を、子の構成要素として取得する。このようにして、親子関係を取得することができる。
【０１１０】
前述の請求項構造情報の場合には、親子関係取得部２１は、例えば、記述断片「８    を備え、  ＣＯＭＰＯＳＥ＿Ｒ＿ＣＵＥ  １３」に対して、親の構成要素「画像形成装置」と、子の構成要素「ダクト」、「送風手段」、「清浄化手段」とを取得することができる。また、親子関係取得部２１は、例えば、記述断片「１１  を有し、  ＣＯＭＰＯＳＥ＿Ｒ＿ＣＵＥ  ９」に対して、親の構成要素「ダクト」と、子の構成要素「内部ダクト」とを取得することができる。したがって、その取得した親子関係を示す情報は、図１２で示されるようになる。
【０１１１】
階層レベル取得部２２は、図１２で示される親子関係から、例えば、前述の方法によって、各構成要素の階層レベルを次のように取得する。
構成要素      階層レベル
画像形成装置        １
ダクト              ２
送風手段            ２
清浄化手段          ２
内部ダクト          ３
【０１１２】
出力部２０は、その構成要素と階層レベルとの対応を用いて、記述断片を表示する際に、その記述断片の語幹が、いずれかの構成要素と一致する場合には、その構成要素に対応する階層レベルの数値を記述断片の位置に表示する。その結果、図１３の表示がなされることになる。このようにして、各構成要素の階層レベルをも表示することができ、それを見たユーザは、構成要素の階層レベルを容易に把握することができるようになる。なお、この例では、階層のレベルが深いほど数値が大きくなる階層レベルとしたが、逆であってもよい。すなわち、階層のレベルが深いほど数値が小さくなる階層レベルを採用してもよい。
【０１１３】
また、本実施の形態において、構成要素を含む記述断片（例えば、ＢＰ、ＮＰＴ＿Ｐ、ＮＰＨ、ＮＰＨ＿Ｐ等の付与された記述断片）を表示する際には、その記述断片の語幹のみを表示するようにしてもよい。例えば、記述断片「画像形成装置。」に代えて、その語幹「画像形成装置」を表示してもよく、記述断片「前記ダクトは」に代えて、その語幹「ダクト」を表示してもよい。
【０１１４】
また、本実施の形態では、区切文節タイプの削除等のように、文節タイプの変更を行う場合について説明したが、そうでなくてもよい。文節タイプの変更を行わない場合には、請求項構造情報生成装置１は、区切文節タイプ変更部１８を備えていなくてもよい。なお、文節タイプの変更を行わない場合であっても、あらかじめ規定されている特許請求項の構造を示す規則（例えば、文脈自由文法で記述された規則や、トークンや区切文節タイプの付与された記述断片の係り受け関係等）を適切なものにすることによって、文節タイプの変更を行った場合と同様の結果を得ることも可能である。
【０１１５】
また、上記実施の形態において用いた具体的なルールや条件、情報等は、それらに限定されないことは言うまでもない。目的を実現できる範囲において、適宜、それらを変更してもよい。
また、上記実施の形態では、請求項構造情報生成装置１がスタンドアロンである場合について説明したが、請求項構造情報生成装置１は、スタンドアロンの装置であってもよく、サーバ・クライアントシステムにおけるサーバ装置であってもよい。後者の場合には、出力部は、通信回線を介して情報を出力してもよい。
【０１１６】
また、上記実施の形態において、各処理または各機能は、単一の装置または単一のシステムによって集中処理されることによって実現されてもよく、あるいは、複数の装置または複数のシステムによって分散処理されることによって実現されてもよい。
【０１１７】
また、上記実施の形態において、各構成要素が実行する処理に関係する情報、例えば、各構成要素が受け付けたり、取得したり、選択したり、生成したり、送信したり、受信したりした情報や、各構成要素が処理で用いるしきい値や数式、アドレス等の情報等は、上記説明で明記していない場合であっても、図示しない記録媒体において、一時的に、あるいは長期にわたって保持されていてもよい。また、その図示しない記録媒体への情報の蓄積を、各構成要素、あるいは、図示しない蓄積部が行ってもよい。また、その図示しない記録媒体からの情報の読み出しを、各構成要素、あるいは、図示しない読み出し部が行ってもよい。
【０１１８】
また、上記実施の形態において、各構成要素等で用いられる情報、例えば、各構成要素が処理で用いるしきい値やアドレス、各種の設定値等の情報がユーザによって変更されてもよい場合には、上記説明で明記していない場合であっても、ユーザが適宜、それらの情報を変更できるようにしてもよく、あるいは、そうでなくてもよい。それらの情報をユーザが変更可能な場合には、その変更は、例えば、ユーザからの変更指示を受け付ける図示しない受付部と、その変更指示に応じて情報を変更する図示しない変更部とによって実現されてもよい。その図示しない受付部による変更指示の受け付けは、例えば、入力デバイスからの受け付けでもよく、通信回線を介して送信された情報の受信でもよく、所定の記録媒体から読み出された情報の受け付けでもよい。
【０１１９】
また、上記実施の形態において、請求項構造情報生成装置１に含まれる２以上の構成要素が通信デバイスや入力デバイス等を有する場合に、２以上の構成要素が物理的に単一のデバイスを有してもよく、あるいは、別々のデバイスを有してもよい。
【０１２０】
また、上記実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。なお、上記実施の形態における請求項構造情報生成装置１を実現するソフトウェアは、以下のようなプログラムである。つまり、このプログラムは、コンピュータを、特許請求項のテキストが区切られた記述断片と当該記述断片の構造とを示す請求項構造情報を生成する請求項構造情報生成装置として機能させるためのプログラムであって、特許請求項のテキストである特許請求項情報が記憶される記憶部で記憶されている特許請求項情報を形態素解析する形態素解析部、特許請求項情報の文節の区切位置を特定する文節特定部、特許請求項情報において、記述断片の区切となると共に記述断片間の関係を示す表層の手がかり情報と、表層の手がかり情報に対応するトークンとを有する表層区切情報が２以上記憶される表層区切情報記憶部で記憶されている表層の手かがり情報に該当する位置に、表層の手がかり情報に対応するトークンを付与するトークン付与部、特許請求項情報において、記述断片の区切となる文節の品詞の手がかり情報と、品詞の手がかり情報に対応する区切文節タイプとを有する文節タイプ対応情報が２以上記憶される文節タイプ対応情報記憶部で記憶されている品詞の手がかり情報に該当する文節に、品詞の手がかり情報に対応する区切文節タイプを付与する区切文節タイプ付与部、特許請求項情報に付与されたトークンと区切文節タイプとを用い、あらかじめ規定されている特許請求項の構造を示す規則に応じて、特許請求項情報の記述断片の構造を示す請求項構造情報を生成する生成部、生成部が生成した請求項構造情報を出力する出力部として機能させるためのものである。
【０１２１】
なお、上記プログラムにおいて、上記プログラムが実現する機能には、ハードウェアでしか実現できない機能は含まれない。例えば、情報を出力する出力部などにおけるモデムやインターフェースカードなどのハードウェアでしか実現できない機能は、上記プログラムが実現する機能には少なくとも含まれない。
【０１２２】
また、このプログラムは、サーバなどからダウンロードされることによって実行されてもよく、所定の記録媒体（例えば、ＣＤ−ＲＯＭなどの光ディスクや磁気ディスク、半導体メモリなど）に記録されたプログラムが読み出されることによって実行されてもよい。また、このプログラムは、プログラムプロダクトを構成するプログラムとして用いられてもよい。
【０１２３】
また、このプログラムを実行するコンピュータは、単数であってもよく、複数であってもよい。すなわち、集中処理を行ってもよく、あるいは分散処理を行ってもよい。
【０１２４】
図１４は、上記プログラムを実行して、上記実施の形態による請求項構造情報生成装置１を実現するコンピュータの外観の一例を示す模式図である。上記実施の形態は、コンピュータハードウェア及びその上で実行されるコンピュータプログラムによって実現されうる。
【０１２５】
図１４において、コンピュータシステム９００は、ＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０５、ＦＤ（Ｆｌｏｐｐｙ（登録商標）  Ｄｉｓｋ）ドライブ９０６を含むコンピュータ９０１と、キーボード９０２と、マウス９０３と、モニタ９０４とを備える。
【０１２６】
図１５は、コンピュータシステム９００の内部構成を示す図である。図１５において、コンピュータ９０１は、ＣＤ−ＲＯＭドライブ９０５、ＦＤドライブ９０６に加えて、ＭＰＵ（Ｍｉｃｒｏ  Ｐｒｏｃｅｓｓｉｎｇ  Ｕｎｉｔ）９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ（Ｒａｎｄｏｍ  Ａｃｃｅｓｓ  Ｍｅｍｏｒｙ）９１３と、アプリケーションプログラム、システムプログラム、及びデータを記憶するハードディスク９１４と、ＭＰＵ９１１、ＲＯＭ９１２等を相互に接続するバス９１５とを備える。なお、コンピュータ９０１は、ＬＡＮへの接続を提供する図示しないネットワークカードを含んでいてもよい。
【０１２７】
コンピュータシステム９００に、上記実施の形態による請求項構造情報生成装置１の機能を実行させるプログラムは、ＣＤ−ＲＯＭ９２１、またはＦＤ９２２に記憶されて、ＣＤ−ＲＯＭドライブ９０５、またはＦＤドライブ９０６に挿入され、ハードディスク９１４に転送されてもよい。これに代えて、そのプログラムは、図示しないネットワークを介してコンピュータ９０１に送信され、ハードディスク９１４に記憶されてもよい。プログラムは実行の際にＲＡＭ９１３にロードされる。なお、プログラムは、ＣＤ−ＲＯＭ９２１やＦＤ９２２、またはネットワークから直接、ロードされてもよい。
【０１２８】
プログラムは、コンピュータ９０１に、上記実施の形態による請求項構造情報生成装置１の機能を実行させるオペレーティングシステム（ＯＳ）、またはサードパーティプログラム等を必ずしも含んでいなくてもよい。プログラムは、制御された態様で適切な機能（モジュール）を呼び出し、所望の結果が得られるようにする命令の部分のみを含んでいてもよい。コンピュータシステム９００がどのように動作するのかについては周知であり、詳細な説明は省略する。
【０１２９】
また、本発明は、以上の実施の形態に限定されることなく、種々の変更が可能であり、それらも本発明の範囲内に包含されるものであることは言うまでもない。
【産業上の利用可能性】
【０１３０】
以上より、本発明による請求項構造情報生成装置等によれば、より深い構造を持つ特許請求項についても、構造解析を行うことができるという効果が得られ、特許請求項を解析する装置等として有用である。
【符号の説明】
【０１３１】
１  請求項構造情報生成装置
１１  記憶部
１２  形態素解析部
１３  文節特定部
１４  表層区切情報記憶部
１５  トークン付与部
１６  文節タイプ対応情報記憶部
１７  区切文節タイプ付与部
１８  区切文節タイプ変更部
１９  生成部
２０  出力部
２１  親子関係取得部
２２  階層レベル取得部
【図１】
0005489872.tif 000002
【図２】
0005489872.tif 000003
【図３】
0005489872.tif 000004
【図４】
0005489872.tif 000005
【図５Ａ】
0005489872.tif 000006
【図５Ｂ】
0005489872.tif 000007
【図６Ａ】
0005489872.tif 000008
【図６Ｂ】
0005489872.tif 000009
【図６Ｃ】
0005489872.tif 000010
【図６Ｄ】
0005489872.tif 000011
【図６Ｅ】
0005489872.tif 000012
【図６Ｆ】
0005489872.tif 000013
【図６Ｇ】
0005489872.tif 000014
【図６Ｈ】
0005489872.tif 000015
【図６Ｉ】
0005489872.tif 000016
【図６Ｊ】
0005489872.tif 000017
【図６Ｋ】
0005489872.tif 000018
【図６Ｌ】
0005489872.tif 000019
【図７Ａ】
0005489872.tif 000020
【図７Ｂ】
0005489872.tif 000021
【図８】
0005489872.tif 000022
【図９】
0005489872.tif 000023
【図１０】
0005489872.tif 000024
【図１１】
0005489872.tif 000025
【図１２】
0005489872.tif 000026
【図１３】
0005489872.tif 000027
【図１４】
0005489872.tif 000028
【図１５】
0005489872.tif 000029
【図１６】
0005489872.tif 000030